(57)【要約】【課題】当該光情報記録媒体に係る推奨記録パワー情報及び当該光情報記録媒体に対する前回記録時の記録パワーを記録し、かつ、本記録に先立つテスト記録時に用いるテスト記録領域を有する光情報記録媒体に対して、テスト記録の時間短縮・精度向上、良好なマーク及びスペースを形成して、再生信号品質を向上させるための最適記録パワーを決定する方法を提供する。【解決手段】ディスク管理情報から読み取った推奨記録パワー情報を一時記憶し、前回記録時の記録パワーを一時記憶し、両記録パワーを比較し、比較結果によりテスト記録時の記録パワーを算出してテスト記録を実行し、テスト記録によって形成された信号を再生し各記録パワーに対応したジッタ値を取得し、各記録パワーとそれに対応したジッタ値との近似式を算出し、近似式からジッタ値が最小となる記録パワーを最適記録パワーとしてセットする。【選択図】  図３
2008300000.tif 000002
【特許請求の範囲】
【請求項１】
当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適化手段を備えた光情報記録媒体記録装置であって、
前記記録パワー最適化手段は、読取記憶手段と、算出手段とを有しており、
前記読取記憶手段は、
当該光情報記録媒体に記録してある前記推奨記録パワー情報及び前記前回記録パワー情報、前記テスト記録パワー情報をそれぞれ読み取った後、一時記憶し、
前記算出手段は、
前記読取記憶手段に一時記憶した前記推奨記録パワー情報と前記前回記録パワー情報とを比較して、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３記録パワー情報を用いて、前記テスト記録時に用いる記録領域に対してテスト記録を実行し、
当該テスト記録により得た再生信号の信号品質にリンクする物理量を測定し、
少なくとも３記録パワー情報と前記物理量との相関を示す近似式を求め、
求めた前記近似式から前記物理量が最小となる記録パワー情報を、本記録時の記録パワー情報として、算出することを特徴とする光情報記録媒体記録装置。
【請求項２】
当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適方法であって、
当該光情報記録媒体に記録してある前記推奨記録パワー情報及び前記前回記録パワー情報、前記テスト記録パワー情報を読み取る読取ステップと、
前記読取ステップで読み取った前記推奨記録パワー情報及び前記前回記録パワー情報、前記テスト記録パワー情報を一時記憶する記憶ステップと、
前記記憶ステップで一時記憶した前記推奨記録パワー情報と前記前回記録パワー情報とを比較する比較ステップと、
前記比較ステップで比較した結果、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３記録パワー情報を用いて、前記テスト記録時に用いる記録領域に対してテスト記録を実行するテスト記録ステップと、
前記テスト記録ステップにより得た再生信号の信号品質にリンクする物理量を測定する物理量測定ステップと、
少なくとも３記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適化方法。
【請求項３】
当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適処理を実行させるためのコンピュータプログラムであって、
当該光情報記録媒体に記録してある前記推奨記録パワー情報及び前記前回記録パワー情報、前記テスト記録パワー情報を読み取る読取ステップと、
前記読取ステップで読み取った前記推奨記録パワー情報及び前記前回記録パワー情報、前記テスト記録パワー情報を一時記憶する記憶ステップと、
前記記憶ステップで一時記憶した前記推奨記録パワー情報と前記前回記録パワー情報とを比較する比較ステップと、
前記比較ステップで比較した結果、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３記録パワー情報を用いて、前記テスト記録時に用いる記録領域に対してテスト記録を実行するテスト記録ステップと、
前記テスト記録ステップにより得た再生信号の信号品質にリンクする物理量を測定する物理量測定ステップと、
少なくとも３記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適処理を実行させるためのコンピュータプログラム。
【請求項４】
当該光情報記録媒体に係る推奨記録パワー情報を予め記録しており、かつ、本記録に先立つテスト記録時に用いるＯＰＣ（ｏｐｔｉｍｕｍ  ｐｏｗｅｒ  ｃｏｎｔｒｏｌ）領域を有する光情報記録媒体に対して、本記録時の記録パワー情報を最適化する記録パワー最適化手段を備えた光情報記録媒体記録装置であって、
前記記録パワー最適化手段は、推奨記録パワー情報読取記憶手段と、ＯＰＣ記録手段と、ＯＰＣ読取記憶手段と、算出手段とを有しており、
前記推奨記録パワー情報読取記憶手段は、前記推奨記録パワー情報を読み取った後に、一時記憶し、
前記ＯＰＣ記録手段は、所定の記録パワー情報を用いて、前記ＯＰＣ領域に対して第１のＯＰＣ記録を実行し、この後に、必要に応じて、第２のＯＰＣ記録を実行し、
前記ＯＰＣ読取記憶手段は、第１のＯＰＣ記録で得られた記録パワー情報を一時記憶し、
前記算出手段は、
前記推奨記録パワー情報読取記憶手段に一時記憶した前記推奨記録パワー情報と、前記ＯＰＣ読取記憶手段に一時記憶した第１のＯＰＣ記録で得られた記録パワー情報とを比較して、前記推奨記録パワー情報と第１のＯＰＣ記録で得られた記録パワー情報とが等しいときは、本記録時に用いる記録パワー情報として、第１のＯＰＣ記録で得られた記録パワー情報を用い、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３記録パワー情報を用いて、
前記ＯＰＣ領域に対して第２のＯＰＣ記録を実行し、
当該第２のＯＰＣ記録により得た再生信号の信号品質にリンクする物理量を測定し、
少なくとも３記録パワー情報と前記物理量との相関を示す近似式を求め、
求めた前記近似式から前記物理量が最小となる記録パワー情報を、本記録時の記録パワー情報として算出することを特徴とする光情報記録媒体記録装置。
【請求項５】
当該光情報記録媒体に係る推奨記録パワー情報を予め記録しており、かつ、本記録に先立つテスト記録時に用いるＯＰＣ領域を有する光情報記録媒体に対して、本記録時の記録パワー情報を最適化する光情報記録媒体記録方法であって、
前記推奨記録パワー情報を読み取る読取ステップと、
前記読取ステップで読み取った前記推奨記録パワー情報及び所定の記録パワー情報を一時記憶する記憶ステップと、
前記記憶ステップで一時記憶した所定の記録パワー情報を用いて、前記ＯＰＣ領域に対する第１のＯＰＣ記録を実行するステップと、
一時記憶してある前記推奨記録パワー情報と第１のＯＰＣ記録で得られた記録パワー情報とを比較する比較ステップと、
前記比較ステップで比較した結果、前記推奨記録パワー情報と第１のＯＰＣ記録で得られた記録パワー情報とが等しいときは、本記録時に用いる記録パワー情報として、第１のＯＰＣ記録で得られた記録パワー情報を本記録時の記録パワー情報として算出するステップと、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３記録パワー情報を用いて、
前記ＯＰＣ領域に対して第２のＯＰＣ記録を実行するステップと、
前記第２のＯＰＣ記録ステップにより得た再生信号の信号品質にリンクする物理量を測定する物理量測定ステップと、
少なくとも３記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適化方法。
【請求項６】
当該光情報記録媒体に係る推奨記録パワー情報を予め記録しており、かつ、本記録に先立つテスト記録時に用いるＯＰＣ領域を有する光情報記録媒体に対して、本記録時の記録パワー情報を最適化する記録パワー最適処理を実行させるためのコンピュータプログラムであって、
前記推奨記録パワー情報を読み取る読取ステップと、
前記読取ステップで読み取った前記推奨記録パワー情報及び所定の記録パワー情報を一時記憶する記憶ステップと、
前記記憶ステップで一時記憶した所定の記録パワー情報を用いて、前記ＯＰＣ領域に対する第１のＯＰＣ記録を実行するステップと、
一時記憶してある前記推奨記録パワー情報と第１のＯＰＣ記録で得られた記録パワー情報とを比較する比較ステップと、
前記比較ステップで比較した結果、前記推奨記録パワー情報と第１のＯＰＣ記録で得られた記録パワー情報とが等しいときは、本記録時に用いる記録パワー情報として、第１のＯＰＣで得られた記録パワー情報を本記録時の記録パワー情報として算出するステップと、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３記録パワー情報を用いて、
前記ＯＰＣ領域に対して第２のＯＰＣ記録を実行するステップと、
前記第２のＯＰＣ記録ステップにより得た再生信号の信号品質にリンクする物理量を測定する物理量測定ステップと、
少なくとも３記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適処理を実行させるためのコンピュータプログラム。
【請求項７】
前記近似式とは、２次以上の多項式を利用した最小二乗法を用いた近似式であることを特徴とする請求項１又は４に記載の光情報記録媒体記録装置。
【請求項８】
前記信号品質にリンクする物理量とは、ジッタ値又はエラーレートであることを特徴とする請求項１又は４、７に記載の光情報記録媒体記録装置。
【請求項９】
前記近似式とは、２次以上の多項式を利用した最小二乗法を用いた近似式であることを特徴とする請求項２又は５に記載の記録パワー最適化方法。
【請求項１０】
前記信号品質にリンクする物理量とは、ジッタ値又はエラーレートであることを特徴とする請求項２又は５、９に記載の記録パワー最適化方法。
【請求項１１】
前記近似式とは、２次以上の多項式を利用した最小二乗法を用いた近似式であることを特徴とする請求項３又は６に記載の記録パワー最適処理を実行させるためのコンピュータプログラム。
【請求項１２】
前記信号品質にリンクする物理量とは、ジッタ値又はエラーレートであることを特徴とする請求項３又は６、１１に記載の記録パワー最適処理を実行させるためのコンピュータプログラム。
【発明の詳細な説明】
【技術分野】
【０００１】
本発明は、本記録に先立つテスト記録時に用いるテスト記録領域、又は、ＯＰＣ（ｏｐｔｉｍｕｍ  ｐｏｗｅｒ  ｃｏｎｔｒｏｌ）領域を有する光ディスクなどの光情報記録媒体に対して、テスト記録を行い、最適記録パワーを求め、光情報記録媒体にマーク及びスペースを形成するための最適な記録パワーを決定する記録パワー最適化手段を備えた光情報記録媒体記録装置、記録パワー最適化方法及びコンピュータプログラムに関する。
【背景技術】
【０００２】
従来、データの書き換え可能な光情報録媒体として、ＣＤ−Ｒ、ＣＤ−ＲＷ、ＤＶＤ−Ｒ、ＤＶＤ−ＲＷ、ＤＶＤ−ＲＡＭ、ＭＤ、ＭＯなどがあり、更に近年は、より大容量のＢＤ−ＲＥ、ＢＤ−Ｒが開発され、これらが一般に販売されている。
【０００３】
光情報記録媒体の高密度化を実現するために、ＢＤ−ＲＥ、ＢＤ−ＲではＤＶＤに比べ狭トラックピッチ化、記録するマーク／スペース長を線密度方向に縮め、レーザ波長の短波長化や、レーザなどの光源からの光束をより小さなスポットに集光するため対物レンズの開口数を大きくするなど対応している。
【０００４】
しかし、対物レンズの開口数が大きくなると、光情報記録媒体の反りや傾きに対してコマ収差が発生しやすくなる。この場合には、光情報記録媒体の読み取り面におけるカバー層の厚みが薄い方がコマ収差の発生を少なくできるという点で有利である。
【０００５】
光情報記録媒体の読み取り面（記録面）を保護する透過基板は、ＤＶＤでは０．６ｍｍであるが、ＢＤ−ＲＥ、ＢＤ−Ｒではこの読み取り面のカバー厚をもっと薄い０．１ｍｍとしており、透過基板ではなく透過シートを基板に接着剤によって貼り合せる形や、樹脂のスピンコートにより透過層を形成している。
【０００６】
この場合、透過シートと接着剤とを合わせた厚さ誤差、または、スピンコートによる透過層の厚さ誤差による影響の度合いは、ＤＶＤに比べ遥かに大きく、記録感度ムラとして記録パワーや、記録パルス幅にも影響を与えてしまう。
【０００７】
光情報記録媒体には、記録時に必要となる記録パワー値や、記録パルス幅などの記録条件設定情報が予め記憶されている。しかしながら、光情報記録媒体に記憶されている記録管理情報（記録条件）は、ＲＯＭ情報として基板に形成され、その後に基板上に記録媒体を積層するため、読み取り面のカバー厚や記録媒体の形成状態により、記録条件の特性にはバラツキが生じる。
【０００８】
すなわち、同じ記録パワー、同じ記録パルス幅で情報を記録した場合であっても、光情報記録媒体の構造、記録媒体の組成、周囲温度などによって記録されたマーク／スペースの大きさは変化する。特に、マーク／スペースのエッジに情報を持たせるマークエッジ記録が多く行われる高密度の光記録においては、記録されたマーク／スペース長の変化は、再生信号のジッタとなって再生されたデータの誤り率の悪化を招くことになる。
【０００９】
このため、通常、光情報記録媒体の記録再生においては、光情報記録媒体へのテスト記録を行い、その再生信号から得た記録状態を判定し、必要に応じて記録条件の最適化を行っている。
【００１０】
この記録条件を最適化する従来技術として、例えば記録パワーの最適化については、下記の特許文献１に記載の技術がある。特許文献１によれば、記録パワーを逐次変化させながら未記録部と記録部とからなるパターンのテスト記録を行い、このテスト記録した記録パターンから情報を再生して記録パワーＰに対応した信号振幅をモニターし、規格化された傾斜ｇ（Ｐ）もしくは、規格化されたｈ（Ｐ）を求め、ｇ（Ｐ）、もしくはｈ（Ｐ）に基づき記録パワーの過不足を評価し最適記録パワーを求めている。
【００１１】
また、下記の特許文献２に記載の技術は、テスト記録を行うと共に、該テスト記録後のテスト領域を再生し、再生信号品質を判定し最適記録パワーを決定した後、予め光記録再装置内のメモリ回路に記憶されている標準記録パワーと前記最適記録パワーとの比率から最適化補正率を算出し、この算出された最適化補正率でメモリ回路に記憶されている標準消去パワーを補正している。
【特許文献１】特許第３１２４７２１号公報
【特許文献２】特許第２６９７６５８号広報
【発明の開示】
【発明が解決しようとする課題】
【００１２】
しかしながら、特許文献１に開示された技術では、高密度化のためコマ収差の発生を低減させるため光情報記録媒体の読み取り面におけるカバー層の厚みを薄くした構造の光情報記録媒体に対しては、カバー層の厚みムラによって傾斜ｇ（Ｐ）、もしくは、ｈ（Ｐ）が精度良く取得できない場合、精度を欠いてしまう。
【００１３】
一方、特許文献２に開示された技術では、テスト記録後再生テストを行い再生品質判定結果に基づいて最適記録パワーを決定し、前記最適記録パワーとメモリ回路に記憶されている標準記録パワーとの比率から決定される最適化補正率で、標準消去パワーを補正し最適消去パワー得ると記載されているが、最適化補正率の算出式するにあたり前記標準記録パワー及び標準消去パワー等を光記録再装置内のメモリ回路に記憶していなければならず、全ての記録型ディスクの種類に対応する標準パワーをメモリ回路内に記憶しておくことは現実的には難しい。
【００１４】
本発明は、ディスクなどの光情報記録媒体メーカー推奨記録パワー及び前回記録時の記録パワーが記録され、かつ、テスト記録領域を有する光情報記録媒体に対して、既存の構成の光情報記録媒体記録装置を用いて限られた記録パワー条件でのテスト記録で時間短縮及び精度を向上させ、光情報記録媒体に対して良好なマーク及びスペースを形成し再生信号品質を向上させることができる最適記録パワーを決定する記録パワー最適化手段を備えた光情報記録媒体記録装置、記録パワー最適化方法及びコンピュータプログラムを提供することを目的とする。
【００１５】
また、本発明は、予めディスクなどの光情報記録媒体メーカー推奨記録パワーが記録され、かつ、ＯＰＣ領域を有する光情報記録媒体に対して、ＯＰＣの精度を向上させ、光情報記録媒体に対して良好なマーク及びスペースを形成し再生信号品質を向上させることができる最適記録パワーを決定する記録パワー最適化手段を備えた光情報記録媒体記録装置、記録パワー最適化方法及びコンピュータプログラムを提供することを目的とする。
【課題を解決するための手段】
【００１６】
本発明は上記目的を達成するために、下記の構成を有する光情報記録媒体記録装置、記録パワー最適化方法及びコンピュータプログラムを提供する。
【００１７】
（１）図１（図１１）に示すように、当該光情報記録媒体（光ディスク）１に係る推奨記録パワー情報（ディスクメーカー推奨の記録パワー情報）ＤＩ及び当該光情報記録媒体１に対する前回記録時の前回記録パワー情報（前回記録時に使用した記録パワー情報）ＤＳＩを記録し、かつ、本記録に先立つテスト記録時に用いる記録領域（所定の管理領域内に存在する記録領域）を有する光情報記録媒体１に対して、本記録時の記録パワー情報を最適化する記録パワー最適化手段（記録パワー情報復調部２５、記録パルス情報復調部２６、記録パワー決定部２７、記録パルス決定部２８、ＣＰＵ２９、メモリ３０、ジッタ計測部３２（エラーレート計測部３３）を有して構成される）を備えた光情報記録媒体記録装置であって、
前記記録パワー最適化手段は、読取記憶手段と、算出手段とを有しており、
前記読取記憶手段は、
当該光情報記録媒体に記録してある前記推奨記録パワー情報及び前記前回記録パワー情報、前記テスト記録パワー情報をそれぞれ読み取った後、一時記憶し、
前記算出手段は、
前記読取記憶手段に一時記憶した前記推奨記録パワー情報と前記前回記録パワー情報とを比較して、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
図４、図７（図１３、図１６）に示すように、前記推奨記録パワー情報と、前記前回記録パワー情報と、前記推奨記録パワー情報及び前記前回記録パワー情報の間に位置するパワー情報との、少なくとも３記録パワー情報を用いるか、又は、
図５（図１４）に示すように、前記推奨記録パワー情報と、前記前回記録パワー情報と、前記推奨記録パワー情報及び前記前回記録パワー情報のいずれも下回るパワー情報との、少なくとも３記録パワー情報を用いるか、又は、
図６（図１５）に示すように、前記推奨記録パワー情報と、前記前回記録パワー情報と、前記推奨記録パワー情報及び前記前回記録パワー情報のいずれも上回るパワー情報との、少なくとも３記録パワー情報を用いて、前記テスト記録時に用いる記録領域に対してテスト記録を実行し、
当該テスト記録により得た再生信号の信号品質にリンクする物理量を測定し、
少なくとも３記録パワー情報と前記物理量との相関を示す近似式を求め、
求めた前記近似式から前記物理量が最小となる記録パワー情報を、本記録時の記録パワー情報として、算出することを特徴とする光情報記録媒体記録装置。
【００１８】
（２）図３（図１２）に示すように、当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適方法であって、
当該光情報記録媒体に記録してある前記推奨記録パワー情報及び前記前回記録パワー情報、前記テスト記録パワー情報を読み取る読取ステップと、
前記読取ステップで読み取った前記推奨記録パワー情報及び前記前回記録パワー情報、前記テスト記録パワー情報を一時記憶する記憶ステップと、
前記記憶ステップで一時記憶した前記推奨記録パワー情報と前記前回記録パワー情報とを比較する比較ステップと、
前記比較ステップで比較した結果、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３記録パワー情報を用いて、前記テスト記録時に用いる記録領域に対してテスト記録を実行するテスト記録ステップと、
前記テスト記録ステップにより得た再生信号の信号品質にリンクする物理量を測定する物理量測定ステップと、
少なくとも３記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適化方法。
【００１９】
（３）図３（図１２）に示すように、当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適処理を（ＣＰＵ２９に）実行させるためのコンピュータプログラムであって、
当該光情報記録媒体に記録してある前記推奨記録パワー情報及び前記前回記録パワー情報、前記テスト記録パワー情報を読み取る読取ステップと、
前記読取ステップで読み取った前記推奨記録パワー情報及び前記前回記録パワー情報、前記テスト記録パワー情報を一時記憶する記憶ステップと、
前記記憶ステップで一時記憶した前記推奨記録パワー情報と前記前回記録パワー情報とを比較する比較ステップと、
前記比較ステップで比較した結果、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３記録パワー情報を用いて、前記テスト記録時に用いる記録領域に対してテスト記録を実行するテスト記録ステップと、
前記テスト記録ステップにより得た再生信号の信号品質にリンクする物理量を測定する物理量測定ステップと、
少なくとも３記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適処理を実行させるためのコンピュータプログラム。
【００２０】
（４）図２０（図２９）に示すように、当該光情報記録媒体（光ディスク）１ａに係る推奨記録パワー情報（ディスクメーカー推奨の記録パワー情報）ＤＩを予め記録しており、かつ、本記録に先立つテスト記録時に用いるＯＰＣ（ｏｐｔｉｍｕｍ  ｐｏｗｅｒ  ｃｏｎｔｒｏｌ）領域を有する光情報記録媒体１ａに対して、本記録時の記録パワー情報を最適化する記録パワー最適化手段（記録パワー情報復調部２５、記録パルス情報復調部２６、記録パワー決定部２７、記録パルス決定部２８、ＣＰＵ２９、メモリ３０、ジッタ計測部３２（エラーレート計測部３３）、変調度計測部３４を有して構成される）を備えた光情報記録媒体記録装置であって、
前記記録パワー最適化手段は、推奨記録パワー情報読取記憶手段と、ＯＰＣ記録手段と、ＯＰＣ読取記憶手段と、算出手段とを有しており、
前記推奨記録パワー情報読取記憶手段は、前記推奨記録パワー情報を読み取った後に、一時記憶し、
前記ＯＰＣ記録手段は、所定の記録パワー情報を用いて、前記ＯＰＣ領域に対して第１のＯＰＣ記録を実行し、この後に、必要に応じて、第２のＯＰＣ記録を実行し、
前記ＯＰＣ読取記憶手段は、第１のＯＰＣ記録で得られた記録パワー情報を一時記憶し、
前記算出手段は、
前記推奨記録パワー情報読取記憶手段に一時記憶した前記推奨記録パワー情報と、前記ＯＰＣ読取記憶手段に一時記憶した第１のＯＰＣ記録で得られた記録パワー情報とを比較して、前記推奨記録パワー情報と第１のＯＰＣ記録で得られた記録パワー情報とが等しいときは、本記録時に用いる記録パワー情報として、第１のＯＰＣ記録で得られた記録パワー情報を用い、
前記推奨記録パワー情報と第１のＯＰＣ記録で得られた記録パワー情報とが等しくないときには、
図２２、図２７（図３１、図３４）に示すように、前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３記録パワー情報を用いるか、又は、
図２３（図３２）に示すように、前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３記録パワー情報を用いるか、又は、
図２４（図３３）に示すように、前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３記録パワー情報を用いて、
前記ＯＰＣ領域に対して第２のＯＰＣ記録を実行し、
当該第２のＯＰＣ記録により得た再生信号の信号品質にリンクする物理量を測定し、
少なくとも３記録パワー情報と前記物理量との相関を示す近似式を求め、
求めた前記近似式から前記物理量が最小となる記録パワー情報を、本記録時の記録パワー情報として算出することを特徴とする光情報記録媒体記録装置。
【００２１】
（５）図２１（図３０）に示すように、当該光情報記録媒体に係る推奨記録パワー情報を予め記録しており、かつ、本記録に先立つテスト記録時に用いるＯＰＣ領域を有する光情報記録媒体に対して、本記録時の記録パワー情報を最適化する光情報記録媒体記録方法であって、
前記推奨記録パワー情報を読み取る読取ステップと、
前記読取ステップで読み取った前記推奨記録パワー情報及び所定の記録パワー情報を一時記憶する記憶ステップと、
前記記憶ステップで一時記憶した所定の記録パワー情報を用いて、前記ＯＰＣ領域に対する第１のＯＰＣ記録を実行するステップと、
一時記憶してある前記推奨記録パワー情報と第１のＯＰＣ記録で得られた記録パワー情報とを比較する比較ステップと、
前記比較ステップで比較した結果、前記推奨記録パワー情報と第１のＯＰＣ記録で得られた記録パワー情報とが等しいときは、本記録時に用いる記録パワー情報として、第１のＯＰＣ記録で得られた記録パワー情報を本記録時の記録パワー情報として算出するステップと、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３記録パワー情報を用いて、
前記ＯＰＣ領域に対して第２のＯＰＣ記録を実行するステップと、
前記第２のＯＰＣ記録で得られた再生信号の信号品質にリンクする物理量を測定する物理量測定ステップと、
少なくとも３記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適化方法。
【００２２】
（６）図２１（図３０）に示すように、当該光情報記録媒体に係る推奨記録パワー情報を予め記録しており、かつ、本記録に先立つテスト記録時に用いるＯＰＣ領域を有する光情報記録媒体に対して、本記録時の記録パワー情報を最適化する記録パワー最適処理を実行させるためのコンピュータプログラムであって、
前記推奨記録パワー情報を読み取る読取ステップと、
前記読取ステップで読み取った前記推奨記録パワー情報及び所定の記録パワー情報を一時記憶する記憶ステップと、
前記記憶ステップで一時記憶した所定の記録パワー情報を用いて、前記ＯＰＣ領域に対する第１のＯＰＣ記録を実行するステップと、
一時記憶してある前記推奨記録パワー情報と第１のＯＰＣ記録で得られた記録パワー情報とを比較する比較ステップと、
前記比較ステップで比較した結果、前記推奨記録パワー情報と第１のＯＰＣ記録で得られた記録パワー情報とが等しいときは、本記録時に用いる記録パワー情報として、第１のＯＰＣ記録で得られた記録パワー情報を本記録時の記録パワー情報として算出するステップと、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３記録パワー情報を用いて、
前記ＯＰＣ領域に対して第２のＯＰＣ記録を実行するステップと、
前記第２のＯＰＣ記録で得られた再生信号の信号品質にリンクする物理量を測定する物理量測定ステップと、
少なくとも３記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適処理を実行させるためのコンピュータプログラム。
【００２３】
（７）  前記近似式とは、２次以上の多項式を利用した最小二乗法を用いた近似式であることを特徴とする請求項１又は４に記載の光情報記録媒体記録装置。
【００２４】
（８）  前記信号品質にリンクする物理量とは、ジッタ値又はエラーレートであることを特徴とする請求項１又は４、７に記載の光情報記録媒体記録装置。
【００２５】
（９）  前記近似式とは、２次以上の多項式を利用した最小二乗法を用いた近似式であることを特徴とする請求項２又は５に記載の記録パワー最適化方法。
【００２６】
（１０）  前記信号品質にリンクする物理量とは、ジッタ値又はエラーレートであることを特徴とする請求項２又は５、９に記載の記録パワー最適化方法。
【００２７】
（１１）  前記近似式とは、２次以上の多項式を利用した最小二乗法を用いた近似式であることを特徴とする請求項３又は６に記載の記録パワー最適処理を実行させるためのコンピュータプログラム。
【００２８】
（１２）  前記信号品質にリンクする物理量とは、ジッタ値又はエラーレートであることを特徴とする請求項３又は６、１１に記載の記録パワー最適処理を実行させるためのコンピュータプログラム。
【発明の効果】
【００２９】
本発明によれば、限られた数種類の記録パワー条件でのテスト記録で済むため限られたテスト記録領域を使用したテスト記録を行う場合に有利であり、特に追記型の光情報記録媒体で有効であり、またテスト記録が短く済むためテスト記録の処理時間も短縮できる。
【００３０】
また、本発明によれば、光情報記録媒体に対して最適な記録パワーを決定することができるので、良好に情報の書き込みを行い再生信号品質を向上させることができる。
【００３１】
さらに、本発明によれば、通常の第１のＯＰＣ記録に加え、限られた数種類の記録パワー条件で第２のＯＰＣ記録を実行することにより、ＯＰＣ精度を飛躍的に向上させることが可能となり、これにより、光情報記録媒体に対して最適な記録パワーでデータ記録を行うことができるようになり再生信号品質を向上させることができる。
【発明を実施するための最良の形態】
【００３２】
以下、本発明を実施するための最良の形態について、図面と共に説明する。
【００３３】
＜第１の実施の形態＞
図１は本発明に係る光情報記録媒体記録装置、記録パワー最適化方法及びコンピュータプログラムを実現するための第１の実施の形態を示すブロック図、図２は記録時のレーザ発光波形を示す説明図、図３は本発明に係る記録パワー最適化方法及びコンピュータプログラムの第１の実施の形態での処理を説明するためのフローチャート、図４乃至図１０は本発明に係る記録パワー最適化方法の第１の実施の形態でテスト記録を行ったときの記録パワーとジッタ値の関係を示す図である。
【００３４】
まず、本発明に係る光情報記録媒体記録装置、記録パワー最適化方法及びコンピュータプログラムを実現する第１の実施の形態について、図１に示す光情報記録媒体記録装置のブロック図を用いて説明する。図１に示す光情報記録媒体記録装置において、情報を繰り返し記録再生可能な相変化型の光情報記録媒体１をスピンドルモータ２により回転駆動して、ディスク１の記録トラックを光ピックアップ（光ＰＵ）１０から出射する記録又は再生用レーザ光で走査することにより、所定のデータフォーマットのデジタルデータ（ここでは、ライトクロック周期：１Ｔに対して、マーク長／スペース長が２Ｔ、３Ｔ〜８Ｔとシンクデータに含まれる９Ｔを含むデータ等）を光学的に記録又は再生する。
【００３５】
ここでは、相変化型の光情報記録媒体１を記録再生可能な光ディスクを例として説明するが、光磁気型（ＭＯ）または色素系の記録媒体（追記型）を使った光情報記録媒体を記録再生可能な光情報記録媒体記録装置を使用しても実現は可能である。
【００３６】
光ピックアップ１０においては、レーザ光源である半導体レーザ１１からのレーザ光がコリメートレンズ１２で平行光ビームとされ、ビームスプリッタ１３を通過し、対物レンズ１４により光ディスク１上の信号記録面に集光されるように照射される。光ディスク１の信号記録面に投射されて反射されたレーザ光の反射光ビーム（戻りレーザ光）は、対物レンズ１４により再び集光され、次いでビームスプリッタ１３で反射され、シリンドリカル（集光）レンズ１５により受光素子であるフォトディテクタ１６に導かれるようになっている。
【００３７】
フォトディテクタ１６は、例えば受光部が４分割された構造を有し、これらの各受光部からの光検出信号がプリアンプ２０を介してマトリクス回路２１に供給されることにより、これらの信号の和や差がとられて、いわゆるＲＦ信号（アナログ状態の信号）や、フォーカスエラー信号、トラッキングエラー信号などとして取り出される。ここでは、フォトディテクタ１６とプリアンプ２０を分けて説明したが、プリアンプ機能内蔵のフォトディテクタであってもよい。
【００３８】
フォーカスエラー信号及びトラッキングエラー信号は、位相補償回路（図示せず）を介し、更にサーボ駆動回路（図示せず）を介して、対物レンズ１４の２軸駆動装置の各駆動コイル（図示せず）にそれぞれ送られることにより、フォーカスサーボ、及びトラッキングサーボが行われる。また、ＲＦ信号は、各受光部からの出力信号の和信号であり、ＥＱ（イコライザ）２２に供給される。
【００３９】
マトリクス回路２１から出力されたＲＦ信号はＥＱ２２で整形され、次の２値化回路２３は、このＥＱ２２により整形されたＲＦ信号を所定の閾値と比較し、その閾値を境に２値化する。それにより整形されたＲＦ信号はデジタル信号へ変換される。ＰＬＬ（フェーズロックループ）２４は、デジタル信号と基準となるクロック信号とを同期させるものである。
【００４０】
起動時、もしくは、記録動作の直前において、光ディスク１のディスク管理領域内のＤｉｓｃ  Ｉｎｆｏｒｍａｔｉｏｎ（以下「ＤＩ」と記す）領域に予め記憶されている光ディスクメーカー推奨の推奨記録パワーを読み込み、上記経路を経て得られたデジタル信号の内、記録パワー情報は記録パワー情報復調部２５で復調され、記録パルス情報は記録パルス情報復調部２６で復調され、それぞれ復調された記録パワー情報は記録パワー決定部２７へ、記録パルス情報は記録パルス決定部２８へと送られ、記録条件として用いることが出来る。
【００４１】
次に、上記ＤＩに記載の記録パワー情報、記録パルス情報について、図２に示す記録時のレーザ発光波形の例を使って説明する。この例においては、光ディスク１に予め記憶されているＤＩに記載の情報には、次に示すパラメータが記録されている。
【００４２】
記録パワー情報として、
「最適記録ピークパワーPwoを得るための指標となる記録ピークパワーＰind」、
「乗数ρ（Ｐwo＝ρ×Ｐind）」、
「記録ピークパワーＰindで記載された記録パワーで記録したときの変調度ｍind」、
「最適記録バイアスパワーＰbwoを得るためのバイアスパワー／記録ピークパワー比率εbw（Ｐbwo＝Ｐwo×εbw）」、
「最適記録クーリングパワーＰcoを得るためのクーリングパワー／記録ピークパワー比率εc（Ｐco＝Ｐwo×εc）」、
「最適消去パワーＰe1を得るための消去パワー１／記録ピークパワー比率
εe1（Ｐe1＝Ｐwo×εe1）」、
「最適消去パワーＰe2を得るための消去パワー２／記録ピークパワー比率
εe2（Ｐe2＝Ｐwo×εe2）」、
「ＯＰＣが実行される変調度カーブ上のポイントを示す記録ピークパワーＰwと記録閾値ピークパワーＰthrの目標比率κ（κ＝Ｐw／Ｐthr）」である。
【００４３】
また、記録パルス情報としては、次に示すパラメータが記録されている。
【００４４】
「先頭パルス幅Ｔtop」、
「先頭パルス前端位置情報ｄTtop」、
「後続パルス幅Ｔmp」、
「消去パルス前端位置情報ｄTe」（場合によっては各マーク長にスペース長に応じて設定されている）。これらの組み合わせによって、図２に示すようにマーク長（及びスペース長）に対するレーザ発光波形を実現する。
【００４５】
次に、図１に戻り、記録パワー決定部２７は、記録パワー情報復調部２５で復調された記録パワー情報、若しくはＣＰＵ２９を介して得られるメモリ３０に記憶された記録パワー情報を選択して記録パワーの設定値を決定するもので、この出力信号は、レーザ駆動回路３１へと送られ、半導体レーザ１１点灯時の目標値となる。メモリ３０は例えばシステムの動作プログラムやデータなどを格納するＲＯＭなどの不揮発性メモリと、光ピックアップ１０が光ディスク１から読み出した情報及び必要な制御プログラムを一時的に格納するＲＡＭなどの揮発性メモリとを含む。
【００４６】
また、起動時、もしくは、記録動作の直前において、上記ＤＩ値の読み込みの前、または後に、光ディスク１のディスク管理領域内のＤｒｉｖｅ  Ｓｐｅｃｉｆｉｃ  Ｉｎｆｏｒｍａｔｉｏｎ（以下「ＤＳＩ」と記す）領域に記録されている記録パワー情報を読み込み、上記経路を経て得られたデジタル信号の内、記録パワー情報は記録パワー情報復調部２５で復調され、記録パルス情報は記録パルス情報復調部２６で復調され、それぞれ復調された記録パワー情報は記録パワー決定部２７へ、記録パルス情報は記録パルス決定部２８へと送られ、記録条件として用いることが出来る。
【００４７】
記録パルス決定部２８では、記録パルス情報復調部２６からの記録パルス情報からの記録データを基に光変調用のパルス出力をレーザ駆動回路３１へと送る。記録パワー決定部２７からの記録パワー情報と記録パルス決定部２８からの記録時のパルス信号との組み合わせによって半導体レーザ１１をレーザ駆動回路３１によってパルス駆動し、光ディスク１に対して記録を行えるようにしている。
【００４８】
ジッタ計測部３２は、光ディスク１に対してテスト記録や通常記録時に得られた記録信号を上述のように再生して、ＰＬＬ２４からの前記記録信号に対してジッタ値の計測を行うもので、本実施例では、テスト記録によって形成されたマーク／スペースを上記説明の如く再生して前記ジッタ計測部３２で得られた計測結果はＣＰＵ２９へと送られ、テスト記録時の各記録パワーとそれに対応したジッタ値との間に近似式を算出し、前記近似式においてジッタ値が最小となる記録パワーを求める最適値選択に使われる。
【００４９】
本実施の形態は、ディスクメーカー推奨記録パワー及び前回記録時の記録パワーが記録され、かつ、テスト記録領域を有する光ディスクに対して、図１に示すようなテスト記録が可能な既存の光情報記録媒体記録装置を使用し、テスト記録の時間短縮、精度を向上させ最適記録パワーを求めるもので、これにより、良好に情報の書き込みが行え、再生信号品質を向上させることが可能となるが、以下、図３のフローチャートに沿って第１のステップ乃至第１２のステップについて詳細の説明を行う。
【００５０】
始めに、テスト記録の命令に従い、スピンドルモータ２を回転制御し、レーザを点灯（ＬＤ  ＯＮ）し、フォーカスサーボ、及び、トラッキングサーボをＯＮする（ステップＳ１）。ステップＳ１の動作を行うまでにサーボ定数のキャリブレーションが行われていない場合はここで行う。続いて光ピックアップ１０を光ディスク１のディスク管理領域の所定アドレスにシークし、スピンドルサーボ系、フォーカスサーボ系、トラッキングサーボ系の順で各サーボ系を駆動する（ステップＳ２）。
【００５１】
次に、前記光ディスク１のディスク管理領域記載のデータを読み出す。ここでは、ディスクメーカー推奨の記録パワー情報を読み取り、上述の説明の如く記録パワー情報復調部２５でデコードしＣＰＵ２９へ送る。そして、前記ディスクメーカー推奨の記録パワー情報をメモリ３０に一時的に記憶する（ステップＳ３）。
【００５２】
続いて、前記光ディスク１に記録されてある前回記録時に使用した記録パワー情報を読み出す。ここでは、上述の説明の如く記録パワー情報復調部２５でデコードしＣＰＵ２９へ送る。そして、前記光ディスク１に記録されてある前回記録時に使用した記録パワー情報をメモリ３０に一時的に記憶する（ステップＳ４）。
【００５３】
ここで、ＣＰＵ２９では、メモリ３０に一時記憶された前記ディスクメーカー推奨の記録パワー情報と前記光ディスク１に記録されてある前回記録時に使用した記録パワー情報とを比較し（ステップＳ５）、比較の結果で、前記ディスクメーカー推奨の記録パワー情報と前記光ディスク１に記録されてある前回記録時に使用した記録パワー情報が等しい場合（図３中の「Ｙｅｓ」）、〔前記ディスクメーカー推奨の記録パワー情報（ＤＩ  Ｐｏｗｅｒ：以下、ＤＩ値）〕＝〔前回記録時に使用した記録パワー情報（ＤＳＩ  Ｐｏｗｅｒ：以下、ＤＳＩ値）〕となる記録パワーとなるように通常のデータ記録で使用するため記録パワーを決定する記録パワー決定部２７へと送る（ステップＳ６）。
【００５４】
比較の結果、〔前記ディスクメーカー推奨の記録パワー情報（ＤＩ値）〕≠〔前記前回記録時に使用した記録パワー情報（ＤＳＩ値）〕の場合（図３中の「Ｎｏ」）、前記ディスクメーカー推奨の記録パワー情報（ＤＩ値）と前回記録時に使用した記録パワー情報（ＤＳＩ値）との差分によってテスト記録時に用いる記録パワーを算出する（ステップＳ７）。ここでは、前記ディスクメーカー推奨の記録パワー情報（ＤＩ値）と前回記録時に使用した記録パワー情報（ＤＳＩ値）とを含む３種類以上の記録パワーを算出する。テスト記録時に用いる記録パワーの算出方法について図４乃至図１０を使って説明する。
【００５５】
まず、図４乃至図６では前記ディスクメーカー推奨の記録パワー情報（ＤＩ値）と前回記録時に使用した記録パワー情報（ＤＳＩ値）を含む３種類の記録パワーでテスト記録を行う場合の記録パワー１の算出について説明する。ここでいう記録パワーとは図２で説明した（最適）記録ピークパワーを指し、その他の記録パワーの光強度はＤＩに記載の比率（ε）等を使用するものとする。ＤＩ値とＤＳＩ値の差が比較的大きい場合で、かつ、３種類の記録パワーでテスト記録を行いたい場合の記録パワーとジッタ値の関係を図４に示す。この場合、記録パワー１はＤＩ値とＤＳＩ値の間の値を算出することとし、
記録パワー１ ＝ （ ＤＳＩ値 ＋ ＤＩ値 ） ／ ２
となるようにＤＩ値とＤＳＩ値の中点の記録パワー（図中の記録パワー１）を選択することが望ましい。図４ではＤＩ値＜ＤＳＩ値として記載しているが、ＤＩ値＞ＤＳＩ値であっても差が比較的大きい場合は同様の方法でＤＩ値とＤＳＩ値の関係を入れ替えて算出を行う。
【００５６】
ＤＩ値とＤＳＩ値との差が比較的小さく、ＤＩ値＞ＤＳＩ値、かつ、３種類の記録パワーでテスト記録を行いたい場合の記録パワーとジッタ値の関係を図５に示す。この場合、記録パワー１はＤＳＩ値より小さい値を算出することとし、
記録パワー１ ＝ ＤＳＩ値 − （ ＤＩ値 − ＤＳＩ値 ）
となるように選択することが望ましい。
【００５７】
ＤＩ値とＤＳＩ値の差が比較的小さい場合でＤＩ値＜ＤＳＩ値、かつ、３種類の記録パワーでテスト記録を行いたい場合の記録パワーとジッタ値の関係を図６に示す。この場合、記録パワー１はＤＳＩ値より大きい値を算出することとし、
記録パワー１ ＝ ＤＳＩ値 ＋ （ ＤＳＩ値 − ＤＩ値 ）
となるように選択することが望ましい。
【００５８】
次に、図７乃至図１０ではＤＩ値とＤＳＩ値を含む４種類の記録パワーでテスト記録を行う場合の記録パワー１、記録パワー２の算出について説明する。図中のＤＩ値とＤＳＩ値の差が大きい場合で、かつ、４種類の記録パワーでテスト記録を行いたい場合の記録パワーとジッタ値の関係を図７に示す。この場合、記録パワー１、記録パワー２はＤＩ値とＤＳＩ値との中間値２点を算出することとし、ＤＳＩ値とＤＩ値の差分を等間隔に分けるようにし、
記録パワー１ ＝ ＤＩ値 ＋ （ ＤＳＩ値 − ＤＩ値 ） ／ ３
記録パワー２ ＝ ＤＳＩ値 − （ ＤＳＩ値 − ＤＩ値 ） ／ ３
となるように選択することが望ましい。図７ではＤＩ値＜ＤＳＩ値として記載しているが、ＤＩ値＞ＤＳＩ値であっても差が大きい場合は同様の方法でＤＩ値とＤＳＩ値の関係を入れ替えて算出を行う。
【００５９】
ＤＩ値とＤＳＩ値との差が比較的小さい場合で、ＤＩ値＜ＤＳＩ値、かつ、４種類の記録パワーでテスト記録を行いたい場合の記録パワーとジッタ値の関係を図８に示す。この場合、記録パワー１はＤＳＩ値とＤＩ値との間の記録パワーとし、記録パワー２はＤＳＩ値より大きい記録パワーを算出することとし、
記録パワー１ ＝ ＤＳＩ値 − （ ＤＳＩ値 − ＤＩ値 ） ／ ２
記録パワー２ ＝ ＤＳＩ値 ＋ （ ＤＳＩ値 − ＤＩ値 ） ／ ２
なるように選択することが望ましい。
【００６０】
ＤＩ値とＤＳＩ値の差分が比較的小さい場合で、ＤＩ値＞ＤＳＩ値、かつ、４種類の記録パワーでテスト記録を行いたい場合の記録パワーとジッタ値の関係を図９に示す。この場合、記録パワー１はＤＳＩ値より小さい記録パワーとし、記録パワー２はＤＳＩ値とＤＩ値との間の記録パワーを算出することとし、
記録パワー１ ＝ ＤＳＩ値 − （ ＤＩ値 − ＤＳＩ値 ） ／ ２
記録パワー２ ＝ ＤＳＩ値 ＋ （ ＤＩ値 − ＤＳＩ値 ） ／ ２
となるように選択することが望ましい。
【００６１】
ＤＩ値とＤＳＩ値の差が小さい場合で、ＤＩ値＜ＤＳＩ値、かつ、４種類の記録パワーでテスト記録を行いたい場合の記録パワーとジッタ値の関係を図１０に示す。この場合、記録パワー１はＤＩ値以下の記録パワーとし、記録パワー２はＤＳＩ値以上の記録パワーを算出することとし、
記録パワー１ ＝ ＤＩ値 − （ ＤＳＩ値 − ＤＩ値 ）
記録パワー２ ＝ ＤＳＩ値 ＋ （ ＤＳＩ値 − ＤＩ値 ）
となるように選択することが望ましい。図１０ではＤＩ値＜ＤＳＩ値として記載しているが、ＤＩ値＞ＤＳＩ値であっても差が小さい場合は同様の方法でＤＩ値とＤＳＩ値の関係を入れ替えて算出を行う。
【００６２】
以上、テスト記録での記録パワーの算出方法の一例を説明してきたが、上述以外の算出方法で記録パワーを求めても本発明に適応できることはいうまでもない。
【００６３】
続いて、上述の記録パワー算出方法で求めた記録パワーを用いてテスト記録を行い（ステップＳ８）、前記テスト記録によって形成された記録信号を再生し、前記テスト記録での各記録パワーに対応したジッタ値を取得し（ステップＳ９）、前記テスト記録での各記録パワーとそれに対応した上述のジッタ値との間に近似式を算出する（ステップ１０）。ここで近似式についてであるが、図４乃至図１０での説明で示した記録パワーが３種類でのテスト記録を行った場合は２次の多項式を利用した最小二乗法を用い、記録パワーが４種類でのテスト記録を行った場合は３次の多項式を利用した最小二乗法を用いると良い。また、記録パワーが５種類以上の場合は３次以上の多項式を利用した最小二乗法を用いると良い。
【００６４】
近似式算出後、前記近似式からジッタ値が最小となる記録パワーを算出する（ステップＳ１１）。ステップＳ１１で算出した記録パワーを通常のデータ記録で使用するため記録パワー決定部２７へと送る（ステップＳ１２）。これにより通常のデータ記録時の最適記録を行うための記録パワーを使用することが可能となる。
【００６５】
ここで求めた記録パワーは、光ディスク１のディスク管理領域内のＤＳＩ領域等に記録し、次回記録時に用いることが出来る。また、光情報記録媒体記録装置内のメモリ３０にディスク種別等と共に格納すると、次回、前記光ディスク１に対して記録を行う場合の記録パワーに役立てることも出来る。
【００６６】
これらの記録パワー最適化方法行われるタイミングは、通常のデータ記録前に行うものとし、起動時や、記録直前に行っても良い。
【００６７】
本発明のコンピュータプログラムは、メモリ３０に格納されたプログラムに応じて前記記録パルス最適化方法で説明した実施例で示したフローチャート図３の如く各々のステップを順次実行するものである。
【００６８】
＜第２の実施の形態＞
図１１は本発明に係る光情報記録媒体記録装置、記録パワー最適化方法及びコンピュータプログラムを実現するための第２の実施の形態を示すブロック図、図１２は本発明に係る記録パワー最適化方法及びコンピュータプログラムの第２の実施の形態での処理を説明するためのフローチャートで、図１３乃至図１９は本発明に係る記録パワー最適化方法及びコンピュータプログラムの第２の実施の形態でテスト記録を行った場合の記録パワーとエラーレート値の関係を示す図である。
【００６９】
まず、本発明に係る光情報記録媒体記録装置、記録パワー最適化方法及びコンピュータプログラムを実現するための第２の実施の形態について、図１１に示す光情報記録媒体記録装置のブロック図を用いて説明する。図１１に示す光情報記録媒体記録装置の構成は、図１に示した光情報記録媒体記録装置の構成中、ジッタ計測部３２の替わりにエラーレート計測部３３を用いた構成に等しいものであるから、以下に、エラーレート計測部３３の動作を中心に説明する。
【００７０】
エラーレート計測部３３は、光ディスク１に対してテスト記録や通常のデータ記録時に得られた記録信号を上述のように再生して、ＰＬＬ２４からの前記記録信号に対してエラーレートの計測を行うもので、本実施例では、テスト記録で形成されたマーク／スペースを上記説明の如く再生して前記エラーレート計測部３３で得られた計測結果はＣＰＵ２９へと送られ、テスト記録時の各記録パワーとそれに対応したエラーレート値との間に近似式を算出し、前記近似式においてエラーレート値が最小となる記録パワーを求める最適値選択に使われる。
【００７１】
本実施の形態は、ディスクメーカー推奨記録パワー及び前回記録時の記録パワーが記録され、かつ、テスト記録領域を有する光ディスクに対して、図１１に示す光情報記録媒体記録装置を用い、テスト記録の時間短縮、精度を向上させ最適記録パワーを求めるもので、これにより、良好に情報の書き込みが行え、再生信号品質を向上させることが可能となるが、以下、図１２のフローチャートに沿って第３１のステップ乃至第４２のステップについて詳細の説明を行う。
【００７２】
始めに、テスト記録の命令に従い、スピンドルモータ２を回転制御し、レーザを点灯（ＬＤ  ＯＮ）し、フォーカスサーボ、及び、トラッキングサーボをＯＮする（ステップＳ３１）。ステップＳ１の動作を行うまでにサーボ定数のキャリブレーションが行われていない場合はここで行う。続いて光ピックアップ１０を光ディスク１のディスク管理領域の所定アドレスにシークし、スピンドルサーボ系、フォーカスサーボ系、トラッキングサーボ系の順で各サーボ系を駆動する（ステップＳ３２）。
【００７３】
次に、前記光ディスク１のディスク管理領域記載のデータを読み出す。ここでは、ディスクメーカー推奨の記録パワー情報を読み取り、上述の説明の如く記録パワー情報復調部２５でデコードしＣＰＵ２９へ送る。そして、前記ディスクメーカー推奨の記録パワー情報をメモリ３０に一時的に記憶する（ステップＳ３３）。
【００７４】
続いて、前記光ディスク１に記録されてある前回記録時に使用した記録パワー情報を読み出す。ここでは、上述の説明の如く記録パワー情報復調部２５でデコードしＣＰＵ２９へ送る。そして、前記光ディスク１に記録されてある前回記録時に使用した記録パワー情報をメモリ３０に一時的に記憶する（ステップＳ３４）。
【００７５】
ここで、ＣＰＵ２９では、メモリ３０に一時記憶された前記ディスクメーカー推奨の記録パワー情報と前記光ディスク１に記録されてある前回記録時に使用した記録パワー情報とを比較し（ステップＳ３５）、比較の結果で、前記ディスクメーカー推奨の記録パワー情報と前記光ディスク１に記録されてある前回記録時に使用した記録パワー情報が等しい場合（図１２中の「Ｙｅｓ」）、〔前記ディスクメーカー推奨の記録パワー情報（ＤＩ値）〕＝〔前回記録時に使用した記録パワー情報（ＤＳＩ値）〕となる記録パワーとなるように通常のデータ記録で使用するため記録パワーを決定する記録パワー決定部２７へと送る（ステップＳ３６）。
【００７６】
比較の結果、〔前記ディスクメーカー推奨の記録パワー情報（ＤＩ値）〕≠〔前記前回記録時に使用した記録パワー情報（ＤＳＩ値）〕の場合（図１２中の「Ｎｏ」）、前記ディスクメーカー推奨の記録パワー情報（ＤＩ値）と前回記録時に使用した記録パワー情報（ＤＳＩ値）との差分によってテスト記録時に用いる記録パワーを算出する（ステップＳ３７）。ここでは、前記ディスクメーカー推奨の記録パワー情報（ＤＩ値）と前回記録時に使用した記録パワー情報（ＤＳＩ値）とを含む３種類以上の記録パワーを算出する。テスト記録時に用いる記録パワーの算出方法について図１３乃至図１９を使って説明する。
【００７７】
まず、図１３乃至図１５では、前記ディスクメーカー推奨の記録パワー情報（ＤＩ値）と前回記録時に使用した記録パワー情報（ＤＳＩ値）を含む３種類の記録パワーでテスト記録を行う場合の記録パワー１の算出について説明する。ここでいう記録パワーとは図２で説明した（最適）記録ピークパワーを指し、その他の記録パワーの光強度はＤＩに記載の比率（ε）等を使用するものとする。ＤＩ値とＤＳＩ値の差が比較的大きい場合で、かつ、３種類の記録パワーでテスト記録を行いたい場合の記録パワーとエラーレート値の関係を図１３に示す。この場合、記録パワー１はＤＩ値とＤＳＩ値の間の値を算出することとし、
記録パワー１ ＝ （ ＤＳＩ値 ＋ ＤＩ値 ） ／ ２
となるようにＤＩ値とＤＳＩ値の中点の記録パワー（図中の記録パワー１）を選択することが望ましい。図４ではＤＩ値＜ＤＳＩ値として記載しているが、ＤＩ値＞ＤＳＩ値であっても差が比較的大きい場合は同様の方法でＤＩ値とＤＳＩ値の関係を入れ替えて算出を行う。
【００７８】
ＤＩ値とＤＳＩ値との差が比較的小さく、ＤＩ値＞ＤＳＩ値、かつ、３種類の記録パワーでテスト記録を行いたい場合の記録パワーとエラーレート値の関係を図１４に示す。この場合、記録パワー１はＤＳＩ値より小さい記録パワーを算出することとし、
記録パワー１ ＝ ＤＳＩ値 − （ ＤＩ値 − ＤＳＩ値 ）
となるように選択することが望ましい。
【００７９】
ＤＩ値とＤＳＩ値の差が比較的小さい場合でＤＩ値＜ＤＳＩ値、かつ、３種類の記録パワーでテスト記録を行いたい場合の記録パワーとジッタ値の関係を図１５に示す。この場合、記録パワー１はＤＳＩ値より大きい記録パワーを算出することとし、
記録パワー１ ＝ ＤＳＩ値 ＋ （ ＤＳＩ値 − ＤＩ値 ）
となるように選択することが望ましい。
【００８０】
次に、図１６乃至図１９ではＤＩ値とＤＳＩ値を含む４種類の記録パワーでテスト記録を行う場合の記録パワー１、記録パワー２の算出について説明する。図中のＤＩ値とＤＳＩ値の差が大きい場合で、かつ、４種類の記録パワーでテスト記録を行いたい場合の記録パワーとエラーレート値の関係を図１６に示す。この場合、記録パワー１、記録パワー２はＤＩ値とＤＳＩ値との中間値２点を算出することとし、ＤＳＩ値とＤＩ値の差分を等間隔に分けるようにし、
記録パワー１ ＝ ＤＩ値 ＋ （ ＤＳＩ値 − ＤＩ値 ） ／ ３
記録パワー２ ＝ ＤＳＩ値 − （ ＤＳＩ値 − ＤＩ値 ） ／ ３
となるように選択することが望ましい。図１６ではＤＩ値＜ＤＳＩ値として記載しているが、ＤＩ値＞ＤＳＩ値であっても差が大きい場合は同様の方法でＤＩ値とＤＳＩ値の関係を入れ替えて算出を行う。
【００８１】
ＤＩ値とＤＳＩ値との差が比較的小さい場合で、ＤＩ値＜ＤＳＩ値、かつ、４種類の記録パワーでテスト記録を行いたい場合の記録パワーとエラーレート値の関係を図１７に示す。この場合、記録パワー１はＤＳＩ値とＤＩ値との間の記録パワーとし、記録パワー２はＤＳＩ値より大きい記録パワーを算出することとし、
記録パワー１ ＝ ＤＳＩ値 − （ ＤＳＩ値 − ＤＩ値 ） ／ ２
記録パワー２ ＝ ＤＳＩ値 ＋ （ ＤＳＩ値 − ＤＩ値 ） ／ ２
となるように選択することが望ましい。
【００８２】
ＤＩ値とＤＳＩ値の差分が比較的小さい場合で、ＤＩ値＞ＤＳＩ値、かつ、４種類の記録パワーでテスト記録を行いたい場合の記録パワーとエラーレート値の関係を図１８に示す。この場合、記録パワー１はＤＳＩ値より小さい記録パワーとし、記録パワー２はＤＳＩ値とＤＩ値との間の記録パワーを算出することとし、
記録パワー１ ＝ ＤＳＩ値 − （ ＤＩ値 − ＤＳＩ値 ） ／ ２
記録パワー２ ＝ ＤＳＩ値 ＋ （ ＤＩ値 − ＤＳＩ値 ） ／ ２
となるように選択することが望ましい。
【００８３】
ＤＩ値とＤＳＩ値の差が小さい場合で、ＤＩ値＜ＤＳＩ値、かつ、４種類の記録パワーでテスト記録を行いたい場合の記録パワーとエラーレート値の関係を図１９に示す。この場合、記録パワー１はＤＩ値以下の記録パワーとし、記録パワー２はＤＳＩ値以上の記録パワーを算出することとし、
記録パワー１ ＝ ＤＩ値 − （ ＤＳＩ値 − ＤＩ 値 ）
記録パワー２ ＝ ＤＳＩ値 ＋ （ ＤＳＩ値 − ＤＩ値 ）
となるように選択することが望ましい。図１９ではＤＩ値＜ＤＳＩ値として記載しているが、ＤＩ値＞ＤＳＩ値であっても差が小さい場合は同様の方法でＤＩ値とＤＳＩ値の関係を入れ替えて算出を行う。
【００８４】
以上、テスト記録での記録パワーの算出方法の一例を説明してきたが、上述以外の算出方法で記録パワーを求めても本発明に適応できることはいうまでもない。
【００８５】
続いて、上述の記録パワー算出方法で求めた記録パワーを用いてテスト記録を行い（ステップＳ３８）、前記テスト記録によって形成された記録信号を再生し、前記テスト記録での各記録パワーに対応したエラーレート値を取得し（ステップＳ３９）、前記テスト記録での各記録パワーとそれに対応した上述のエラーレート値との間に近似式を算出する（ステップ４０）。ここで近似式についてであるが、図１３乃至図１９での説明で示した記録パワーが３種類でのテスト記録を行った場合は２次の多項式を利用した最小二乗法を用い、記録パワーが４種類でのテスト記録を行った場合は３次の多項式を利用した最小二乗法を用いると良い。また、記録パワーが５種類以上の場合は３次以上の多項式を利用した最小二乗法を用いると良い。
【００８６】
近似式算出後、前記近似式からエラーレート値が最小となる記録パワーを算出する（ステップＳ４１）。ステップＳ４１で算出した記録パワーを通常のデータ記録で使用するため記録パワー決定部２７へと送る（ステップＳ４２）。これにより通常のデータ記録時の最適記録を行うための記録パワーを使用することが可能となる。
【００８７】
ここで求めた記録パワーは、光ディスク１のディスク管理領域内のＤＳＩ領域等に記録し、次回記録時に用いることが出来る。また、光情報記録媒体記録装置内のメモリ３０にディスク種別等と共に格納すると、次回、前記光ディスク１に対して記録を行う場合の記録パワーに役立てることも出来る。
【００８８】
これらの記録パワー最適化方法行われるタイミングは、通常のデータ記録前に行うものとし、起動時や、記録直前に行っても良い。
【００８９】
以上のように本発明によれば、上述の如く既存の光情報記録媒体記録装置の構成でのテスト記録で得られる最適記録パワーの精度を向上させることができる記録パワー最適化方法及びコンピュータプログラムであり、光情報記録媒体に対して最適な記録パワーを決定することができ、良好に情報の書き込みを行うことによって再生信号品質を向上させることができる。
【００９０】
上述したのは、推奨記録パワー情報及び前回記録時の前回記録パワー情報を記録し、かつ、本記録時に先立つテスト記録のためのテスト記録パワー情報を記録する記録領域を有する光ディスク１に対して、本記録時の記録パワー情報を最適化する記録パワー最適化に係る本発明を、＜第１の実施の形態＞  ＜第２の実施の形態＞を用いて説明した。
【００９１】
さて下記するのは、推奨記録パワー情報を予め記録しており、かつ、本記録時に先立つテスト記録時に用いるＯＰＣ領域を有する光ディスク１ａに対して、本記録時の記録パワー情報を最適化する記録パワー最適化に係る本発明を、＜第３の実施の形態＞  ＜第４の実施の形態＞を用いて説明するものである。
【００９２】
以下に、本発明を実施するための最良の形態について、図面と共に説明する。
【００９３】
＜第３の実施の形態＞
図２０は本発明に係る光情報記録媒体記録装置、記録パワー最適化方法及びコンピュータプログラムを実現するための第３の実施の形態を示すブロック図、図２１は本発明に係る記録パワー最適化方法及びコンピュータプログラムの第３の実施の形態での処理を説明するためのフローチャート、図２２乃至図２８は本発明に係る記録パワー最適化方法の第３の実施の形態で第２のＯＰＣを行ったときの記録パワーとジッタ値の関係を示す図である。
【００９４】
まず、本発明に係る光情報記録媒体記録装置、記録パワー最適化方法及びコンピュータプログラムを実現する第３の実施の形態について、図２０に示す光情報記録媒体記録装置のブロック図を用いて説明する。図２０に示す光情報記録媒体記録装置は、既述した光情報記録媒体記録装置（図１）の構成中、マトリクス回路２１の一の出力端とＣＰＵ２９の一の入力端との間に変調度計測部３４を介挿接続して成る構成に等しい。前述したものと同一構成部分には同一符号を付しその説明を省略する。
【００９５】
起動時、もしくは、記録動作の直前において、光ディスク１ａのＤＩ領域に予め記憶されているディスクメーカー推奨記録パワーと、ＯＰＣを実行するために必要なパラメータを読み込み、上記経路を経て得られたデジタル信号の内、記録パワー情報は記録パワー情報復調部２５で復調され、記録パルス情報は記録パルス情報復調部２６で復調される。それぞれ復調された記録パワー情報は記録パワー決定部２７へ、記録パルス情報は記録パルス決定部２８へと送られる。
【００９６】
変調度計測部３４は、主に第１のＯＰＣで使用され、マトリクス回路２１から出力される信号のうちＤＣ成分を持ったＲＦ信号を入力し、ＲＦ信号のピークレベル、ボトムレベル、光がオフ時のレベルをそれぞれ取得し、ＣＰＵ２９へ送り変調度を算出するための手段の一部である。
【００９７】
ジッタ計測部３２は、光ディスク１ａに対してＯＰＣなどのテスト記録や通常記録時に得られた記録信号を上述のように再生して、ＰＬＬ２４からの前記記録信号に対してジッタ値の計測を行うもので、本実施例では、第２のＯＰＣで形成されたマーク／スペースを上記説明の如く再生して前記ジッタ計測部３３で得られた計測結果はＣＰＵ２９へと送られ、第２のＯＰＣ記録時の各記録パワーとそれに対応したジッタ値との間に近似式を算出し、前記近似式においてジッタ値が最小となる記録パワーを求める最適値選択に使われる。
【００９８】
本実施の形態は、予めディスクメーカー推奨記録パワーが記録され、かつ、ＯＰＣ領域を有する光ディスク１ａに対して、図２０に示すようなＯＰＣなどのテスト記録が可能な既存の光情報記録媒体記録装置を使い、ＯＰＣなどのテスト記録で得られる最適記録パワーの精度を向上させ、これにより、良好に情報の書き込みが行え、再生信号品質を向上させることが可能な記録パワーを得るためのものであり、以下、図２１のフローチャートに沿って第１のステップ（ステップＳ１ａ）乃至第１５のステップ（ステップＳ１５ａ）について詳細の説明を行う。
【００９９】
始めに、テスト記録の命令に従い、スピンドルモータ２を回転制御し、レーザを点灯（ＬＤ  ＯＮ）し、フォーカスサーボ、及び、トラッキングサーボをＯＮする（ステップＳ１ａ）。ステップＳ１ａの動作を行うまでにサーボ定数のキャリブレーションが行われていない場合はここで行う。続いて光ピックアップ１０を光ディスク１ａのディスク管理領域の所定アドレスにシークし、スピンドルサーボ系、フォーカスサーボ系、トラッキングサーボ系の順で各サーボ系を駆動する（ステップＳ２ａ）。
【０１００】
次に、前記光ディスク１ａのディスク管理領域記載のデータを読み出す。ここでは、ディスクメーカー推奨の記録パワー情報や、第１のＯＰＣを実行するために必要なデータ等を読み取り、上述の説明の如く記録パワー情報復調部２５でデコードしＣＰＵ２９へ送る（ステップＳ３ａ）。そして、前記ディスクメーカー推奨の記録パワー情報をメモリ３０に一時的に記憶する（ステップＳ４ａ）。
【０１０１】
続いて、光ピックアップ１０を光ディスク１ａのＯＰＣ領域における所定のアドレスにシークさせ（ステップＳ４ａ）、第１のＯＰＣを実行する（ステップ５ａ）。ここで第１のＯＰＣでの記録条件は前記ディスク管理領域にＯＰＣ用のデータが含まれる場合はそれを用いても良い。そして、第１のＯＰＣにおける学習結果（記録パワー）を算出する（ステップＳ６ａ）。前記ステップＳ６ａで求めたＯＰＣの学習結果（記録パワー）をメモリ３０に一時的に記憶する（ステップＳ７ａ）。
【０１０２】
ここで、ＣＰＵ２９では、メモリ３０に一時記憶された前記ディスクメーカー推奨の記録パワー情報と前記ＯＰＣの学習結果（記録パワー）とを比較し（ステップＳ８ａ）、比較の結果で、前記ディスクメーカー推奨の記録パワー情報と前記ＯＰＣの学習結果（記録パワー）が等しい場合（図２１中の「Ｙｅｓ」）、〔前記ディスクメーカー推奨の記録パワー情報（ＤＩ値）〕＝〔前記ＯＰＣの学習結果（記録パワー＝ＯＰＣ値）〕となる記録パワーとなるように通常のデータ記録で使用するため記録パワーを決定する記録パワー決定部２７へと送る（ステップＳ９ａ）。
【０１０３】
比較の結果、〔前記ディスクメーカー推奨の記録パワー情報（ＤＩ値）〕≠〔前記ＯＰＣの学習結果（ＯＰＣ値）〕の場合（図２１中の「Ｎｏ」）、前記ディスクメーカー推奨の記録パワー情報（ＤＩ値）と前記ＯＰＣの学習結果（ＯＰＣ値）との差分によって第２のＯＰＣ時の記録パワーを算出する（ステップＳ１０ａ）。ここでは、前記ディスクメーカー推奨の記録パワー情報（ＤＩ値）と前記ＯＰＣの学習結果（ＯＰＣ値）とを含む３種類以上の記録パワーを算出する。第２のＯＰＣ時における記録パワーの算出方法について図２２乃至図２８を使って説明する。
【０１０４】
まず、図２２乃至図２４では前記ディスクメーカー推奨の記録パワー情報（ＤＩ値）と前記ＯＰＣの学習結果（ＯＰＣ値）を含む３種類の記録パワーでＯＰＣ記録を行う場合の記録パワー１の算出について説明する。ここでいう記録パワーとは図２で説明した（最適）記録ピークパワーを指し、その他の記録パワーの光強度はＤＩに記載の比率（ε）等を使用するものとする。ＤＩ値とＯＰＣ値の差が比較的大きい場合で、かつ、３種類の記録パワーで第２のＯＰＣ記録を行いたい場合の記録パワーとジッタ値の関係を図２２に示す。この場合、記録パワー１はＤＩ値とＯＰＣ値の間の値を算出することとし、
記録パワー１ ＝ （ ＯＰＣ値 ＋ ＤＩ値 ） ／ ２
となるようにＤＩ値とＯＰＣ値の中点の記録パワー（図中の記録パワー１）を選択することが望ましい。図２２ではＤＩ値＜ＯＰＣ値として記載しているが、ＤＩ値＞ＯＰＣ値であっても差が比較的大きい場合は同様の方法でＤＩ値とＯＰＣ値の関係を入れ替えて算出を行う。
【０１０５】
ＤＩ値とＯＰＣ値との差が比較的小さく、ＤＩ値＞ＯＰＣ値、かつ、３種類の記録パワーで第２のＯＰＣ記録を行いたい場合の記録パワーとジッタ値の関係を図２３に示す。この場合、記録パワー１はＯＰＣ値より小さい記録パワーを算出することとし、
記録パワー１ ＝ ＯＰＣ値 − （ ＤＩ値 − ＯＰＣ値 ）
となるように選択することが望ましい。
【０１０６】
ＤＩ値とＯＰＣ値の差が比較的小さい場合でＤＩ値＜ＯＰＣ値、かつ、３種類の記録パワーで第２のＯＰＣ記録を行いたい場合の記録パワーとジッタ値の関係を図２４示す。この場合、記録パワー１はＯＰＣ値より大きい記録パワーを算出することとし、
記録パワー１ ＝ ＯＰＣ値 ＋ （ ＯＰＣ値 − ＤＩ値 ）
となるように選択することが望ましい。
【０１０７】
次に、図２５乃至図２８ではＤＩ値とＯＰＣ値を含む４種類の記録パワーで第２のＯＰＣ記録を行う場合の記録パワー１、記録パワー２の算出について説明する。図中のＤＩ値とＯＰＣ値の差が大きい場合で、かつ、４種類の記録パワーで第２のＯＰＣ記録を行いたい場合の記録パワーとジッタ値の関係を図２５に示す。この場合、記録パワー１、記録パワー２はＤＩ値とＯＰＣ値との中間値２点を算出することとし、ＯＰＣ値とＤＩ値の差分を等間隔に分けるようにし、
記録パワー１ ＝ ＤＩ値 ＋ （ ＯＰＣ値 − ＤＩ値 ） ／ ３
記録パワー２ ＝ ＯＰＣ値 − （ ＯＰＣ値 − ＤＩ値 ） ／ ３
となるように選択することが望ましい。図２５ではＤＩ値＜ＯＰＣ値として記載しているが、ＤＩ値＞ＯＰＣ値であっても差が大きい場合は同様の方法でＤＩ値とＯＰＣ値の関係を入れ替えて算出を行う。
【０１０８】
ＤＩ値とＯＰＣ値との差が比較的小さい場合で、ＤＩ値＜ＯＰＣ値、かつ、４種類の記録パワーで第２のＯＰＣ記録を行いたい場合の記録パワーとジッタ値の関係を図２６に示す。この場合、記録パワー１はＯＰＣ値とＤＩ値との間の記録パワーとし、記録パワー２はＯＰＣ値より大きい記録パワーを算出することとし、
記録パワー１ ＝ ＯＰＣ値 − （ ＯＰＣ値 − ＤＩ値 ） ／ ２
記録パワー２ ＝ ＯＰＣ値 ＋ （ ＯＰＣ値 − ＤＩ値 ） ／ ２
となるように選択することが望ましい。
【０１０９】
ＤＩ値とＯＰＣ値の差分が比較的小さい場合で、ＤＩ値＞ＯＰＣ値、かつ、４種類の記録パワーで第２のＯＰＣ記録を行いたい場合の記録パワーとジッタ値の関係を図２７に示す。この場合、記録パワー１はＯＰＣ値より小さい記録パワーとし、記録パワー２はＯＰＣ値とＤＩ値との間の記録パワーを算出することとし、
記録パワー１ ＝ ＯＰＣ値 − （ ＤＩ値 − ＯＰＣ値 ） ／ ２
記録パワー２ ＝ ＯＰＣ値 ＋ （ ＤＩ値 − ＯＰＣ値 ） ／ ２
となるように選択することが望ましい。
【０１１０】
ＤＩ値とＯＰＣ値の差が小さい場合で、ＤＩ値＜ＯＰＣ値、かつ、４種類の記録パワーで第２のＯＰＣ記録を行いたい場合の記録パワーとジッタ値の関係を図２８に示す。この場合、記録パワー１はＤＩ値以下の記録パワーとし、記録パワー２はＯＰＣ値以上の記録パワーを算出することとし、
記録パワー１ ＝ ＤＩ値 − （ ＯＰＣ値 − ＤＩ値 ）
記録パワー２ ＝ ＯＰＣ値 ＋ （ ＯＰＣ値 − ＤＩ値 ）
となるように選択することが望ましい。図２８ではＤＩ値＜ＯＰＣ値として記載しているが、ＤＩ値＞ＯＰＣ値であっても差が小さい場合は同様の方法でＤＩ値とＯＰＣ値の関係を入れ替えて算出を行う。
【０１１１】
以上、第２のＯＰＣでの記録パワーの算出方法の一例を説明してきたが、上述以外の算出方法で記録パワーを求めても本発明に適応できることはいうまでもない。
【０１１２】
続いて、上述の第２のＯＰＣでの記録パワー算出方法で求めた記録パワーを用いて第２のＯＰＣを行い（ステップＳ１１ａ）、前記第２のＯＰＣ記録によって形成された記録信号を再生し、前記第２のＯＰＣ記録での各記録パワーに対応したジッタ値を取得し（ステップＳ１２ａ）、前記第２のＯＰＣ記録での各記録パワーとそれに対応した上述のジッタ値との間に近似式を算出する（ステップ１３ａ）。ここで近似式についてであるが、図２２乃至図２８での説明で示した記録パワーが３種類での第２のＯＰＣ記録を行う場合は２次の多項式を利用した最小二乗法を用いることとし、記録パワーが４種類での第２のＯＰＣ記録を行う場合は３次の多項式を利用した最小二乗法を用いることとする。記録パワーが５種類以上の場合は３次以上の多項式を利用した最小二乗法を用いると良い。
【０１１３】
近似式算出後、前記近似式からジッタ値が最小となる記録パワーを算出する（ステップＳ１４ａ）。ステップＳ１４ａで算出した記録パワーを通常のデータ記録で使用するため記録パワー決定部２７へと送る（ステップＳ１５ａ）。これにより通常のデータ記録時の最適記録を行うための記録パワーを使用することが可能となる。
【０１１４】
ここで求めた記録パワーは、光ディスク１ａへ次回記録する場合に記録パラメータ設定（前記記録パワー）に使用できるようにディスク管理領域内のＤＳＩ領域等に記録するか、または、光情報記録媒体記録装置内のメモリ３０に前記記録パラメータ設定を格納すると、次回、前記光ディスク１ａに対して記録を行う場合、役立てることもできる。
【０１１５】
これらの記録パワー最適化方法行われるタイミングは、通常のデータ記録前に行うものとし、起動時や、記録直前に行っても良い。
【０１１６】
本発明のコンピュータプログラムは、メモリ３０に格納されたプログラムに応じて前記記録パルス最適化方法で説明した実施例で示したフローチャート図２１の如く各々のステップを順次実行するものである。
【０１１７】
＜第４の実施の形態＞
図２９は本発明に係る光情報記録媒体記録装置、記録パワー最適化方法及びコンピュータプログラムを実現するための第４の実施の形態を示すブロック図、図３０は本発明に係る記録パワー最適化方法及びコンピュータプログラムの第４の実施の形態での処理を説明するためのフローチャートで、図３１乃至図３７は本発明に係る記録パワー最適化方法及びコンピュータプログラムの第４の実施の形態で第２のＯＰＣを行った場合の記録パワーとエラーレート値の関係を示す図である。
【０１１８】
まず、本発明に係る光情報記録媒体記録装置、記録パワー最適化方法及びコンピュータプログラムを実現するための第２の実施の形態について、図２９に示す光情報記録媒体記録装置のブロック図を用いて説明する。図２９に示す光情報記録媒体記録装置の構成は、図２０に示した光情報記録媒体記録装置の構成中、ジッタ計測部３２の替わりにエラーレート計測部３３を用いた構成に等しいものであるから、以下に、下記に異なる点を中心に説明する。
【０１１９】
エラーレート計測部３５は、光ディスク１ａに対してＯＰＣなどのテスト記録や通常のデータ記録時に得られた記録信号を上述のように再生して、ＰＬＬ２４からの前記記録信号に対してエラーレートの計測を行うもので、本実施例では、第２のＯＰＣで形成されたマーク／スペースを上記説明の如く再生して前記エラーレート計測部３５で得られた計測結果はＣＰＵ２９へと送られ、第２のＯＰＣ記録時の各記録パワーとそれに対応したエラーレート値との間に近似式を算出し、前記近似式においてエラーレート値が最小となる記録パワーを求める最適値選択に使われる。
【０１２０】
本実施の形態は、予めディスクメーカー推奨記録パワーが記録され、かつ、ＯＰＣ領域を有する光ディスク１ａに対して、図２９に示すようなＯＰＣなどのテスト記録が可能な既存の光情報記録媒体記録装置を使い、ＯＰＣなどのテスト記録で得られる最適記録パワーの精度を向上させ、これにより、良好に情報の書き込みが行え、再生信号品質を向上させることが可能な記録パワーを得るためのものであり、以下、図３０のフローチャートに沿って第１のステップ（ステップＳ３１ａ）乃至第１５のステップ（ステップＳ４５ａ）について詳細の説明を行う。
【０１２１】
始めに、テスト記録の命令に従い、スピンドルモータ２を回転制御し、レーザを点灯（ＬＤ  ＯＮ）し、フォーカスサーボ、及び、トラッキングサーボをＯＮする（ステップＳ３１ａ）。ステップＳ３１ａの動作を行うまでにサーボ定数のキャリブレーションが行われていない場合はここで行う。続いて光ピックアップ１０を光ディスク１ａのディスク管理領域の所定アドレスにシークし、スピンドルサーボ系、フォーカスサーボ系、トラッキングサーボ系の順で各サーボ系を駆動する（ステップＳ３２ａ）。
【０１２２】
次に、前記光ディスク１ａのディスク管理領域記載のデータを読み出す。ここでは、ディスクメーカー推奨の記録パワー情報や、第１のＯＰＣを実行するために必要なデータ等を読み取り、上述の説明の如く記録パワー情報復調部２５でデコードしＣＰＵ２９へ送る（ステップＳ３３ａ）。そして、前記ディスクメーカー推奨の記録パワー情報をメモリ３０に一時的に記憶する（ステップＳ３４ａ）。
【０１２３】
続いて、光ピックアップ１０を光ディスク１ａのＯＰＣ領域における所定のアドレスにシークさせ（ステップＳ３４ａ）、第１のＯＰＣを実行する（ステップＳ３５ａ）。ここで第１のＯＰＣでの記録条件は前記ディスク管理領域にＯＰＣ用のデータが含まれる場合はそれを用いても良い。そして、第１のＯＰＣにおける学習結果（記録パワー）を算出する（ステップＳ３６ａ）。前記ステップＳ３６ａで求めたＯＰＣの学習結果（記録パワー）をメモリ３０に一時的に記憶する（ステップＳ３７ａ）。
【０１２４】
ここで、ＣＰＵ２９では、メモリ３０に一時記憶された前記ディスクメーカー推奨の記録パワー情報と前記ＯＰＣの学習結果（記録パワー）とを比較し（ステップＳ３８ａ）、比較の結果で、前記ディスクメーカー推奨の記録パワー情報と前記ＯＰＣの学習結果（記録パワー）が等しい場合（図３０中の「Ｙｅｓ」）、〔前記ディスクメーカー推奨の記録パワー情報（ＤＩ値）〕＝〔前記ＯＰＣの学習結果（記録パワー＝ＯＰＣ値）〕となる記録パワーとなるように通常のデータ記録で使用するため記録パワーを決定する記録パワー決定部２７へと送る（ステップＳ３９ａ）。
【０１２５】
比較の結果、〔前記ディスクメーカー推奨の記録パワー情報（ＤＩ値）〕≠〔前記ＯＰＣの学習結果（ＯＰＣ値）〕の場合（図３０中の「Ｎｏ」）、前記ディスクメーカー推奨の記録パワー情報（ＤＩ値）と前記ＯＰＣの学習結果（ＯＰＣ値）との差分によって第２のＯＰＣ時の記録パワーを算出する（ステップＳ４０ａ）。ここでは、前記ディスクメーカー推奨の記録パワー情報（ＤＩ値）と前記ＯＰＣの学習結果（ＯＰＣ値）とを含む３種類以上の記録パワーを算出する。第２のＯＰＣ時における記録パワーの算出方法について図３１乃至図３７を使って説明する。
【０１２６】
まず、図３１乃至図３７では前記ディスクメーカー推奨の記録パワー情報（ＤＩ値）と前記ＯＰＣの学習結果（ＯＰＣ値）を含む３種類の記録パワーでＯＰＣ記録を行う場合の記録パワーの算出について説明する。ここでいう記録パワーとは図２で説明した（最適）記録ピークパワーを指し、その他の記録パワーの光強度はＤＩに記載の比率（ε）等を使用するものとする。ＤＩ値とＯＰＣ値の差が比較的大きい場合で、かつ、３点の記録パワーで第２のＯＰＣ記録を行いたい場合の記録パワーとエラーレート値の関係を図３１に示す。この場合、ＤＩ値と、ＯＰＣ値と、ＤＩ値とＯＰＣ値の間の記録パワーとの３種類を算出することとし、
記録パワー１ ＝ （ ＯＰＣ値 ＋ ＤＩ値 ） ／ ２
となるようにＤＩ値とＯＰＣ値の中点の記録パワー（図中の記録パワー１）を選択することが望ましい。図３１ではＤＩ値＜ＯＰＣ値として記載しているが、ＤＩ値＞ＯＰＣ値であっても差が比較的大きい場合は同様の方法でＤＩ値とＯＰＣ値の関係を入れ替えて算出を行う。
【０１２７】
ＤＩ値とＯＰＣ値との差が比較的小さく、ＤＩ値＞ＯＰＣ値、かつ、３種類の記録パワーで第２のＯＰＣ記録を行いたい場合の記録パワーとエラーレート値の関係を図３２に示す。この場合、ＤＩ値と、ＯＰＣ値と、ＯＰＣ値より小さい記録パワーを算出することとし、
記録パワー１ ＝ ＯＰＣ値 − （ ＤＩ値 − ＯＰＣ値 ）
となるように選択することが望ましい。
【０１２８】
ＤＩ値とＯＰＣ値の差が比較的小さい場合でＤＩ値＜ＯＰＣ値、かつ、３種類の記録パワーで第２のＯＰＣ記録を行いたい場合の記録パワーとエラーレート値の関係を図３３に示す。この場合、ＤＩ値と、ＯＰＣ値と、ＯＰＣ値より大きい記録パワーを算出することとし、
記録パワー１ ＝ ＯＰＣ値 ＋ （ ＯＰＣ値 − ＤＩ値 ）
となるように選択することが望ましい。
【０１２９】
次に、図３４乃至図３７ではＤＩ値とＯＰＣ値を含む４点の記録パワーの算出について説明する。図中のＤＩ値とＯＰＣ値の差が大きい場合で、かつ、４種類の記録パワーで第２のＯＰＣ記録を行いたい場合の記録パワーとエラーレート値の関係を図３４に示す。この場合、ＤＩ値と、ＯＰＣ値と、算出する記録パワーをＤＩ値とＯＰＣ値との中間値２点を算出することとし、ＯＰＣ値とＤＩ値の差分を等間隔に分けるようにし、
記録パワー１ ＝ ＤＩ値 ＋ （ ＯＰＣ値 − ＤＩ値 ） ／ ３
記録パワー２ ＝ ＯＰＣ値 − （ ＯＰＣ値 − ＤＩ値 ） ／ ３
となるように選択することが望ましい。図３４ではＤＩ値＜ＯＰＣ値として記載しているが、ＤＩ値＞ＯＰＣ値であっても差が大きい場合は同様の方法でＤＩ値とＯＰＣ値の関係を入れ替えて算出を行う。
【０１３０】
ＤＩ値とＯＰＣ値との差が比較的小さい場合で、ＤＩ値＜ＯＰＣ値、かつ、４種類の記録パワーで第２のＯＰＣ記録を行いたい場合の記録パワーとエラーレート値の関係を図３５に示す。この場合、ＤＩ値と、ＯＰＣ値と、ＯＰＣ値とＤＩ値との間の記録パワーとＯＰＣ値より大きい記録パワーを算出することとし、
記録パワー１ ＝ ＯＰＣ値 − （ ＯＰＣ値 − ＤＩ値 ） ／ ２
記録パワー２ ＝ ＯＰＣ値 ＋ （ ＯＰＣ値 − ＤＩ値 ） ／ ２
となるように選択することが望ましい。
【０１３１】
ＤＩ値とＯＰＣ値の差分が比較的小さい場合で、ＤＩ値＞ＯＰＣ値、かつ、４種類の記録パワーで第２のＯＰＣ記録を行いたい場合の記録パワーとエラーレート値の関係を図３６に示す。この場合、ＤＩ値と、ＯＰＣ値と、ＯＰＣ値とＤＩ値との間の記録パワーとＯＰＣ値より小さい記録パワーを算出することとし、
記録パワー１ ＝ ＯＰＣ値 − （ ＤＩ値 − ＯＰＣ値 ） ／ ２
記録パワー２ ＝ ＯＰＣ値 ＋ （ ＤＩ値 − ＯＰＣ値 ） ／ ２
となるように選択することが望ましい。
【０１３２】
ＤＩ値とＯＰＣ値の差が小さい場合で、ＤＩ値＜ＯＰＣ値、かつ、４種類の記録パワーで第２のＯＰＣ記録を行いたい場合の記録パワーとジッタ値の関係を図に示す。この場合、ＤＩ値と、ＯＰＣ値と、ＤＩ値以下の記録パワーとＯＰＣ値以上の記録パワーを算出することとし、
記録パワー１ ＝ ＤＩ値 − （ ＯＰＣ値 − ＤＩ値 ）
記録パワー２ ＝ ＯＰＣ値 ＋ （ ＯＰＣ値 − ＤＩ値 ）
となるように選択することが望ましい。図３７ではＤＩ値＜ＯＰＣ値として記載しているが、ＤＩ値＞ＯＰＣ値であっても差が小さい場合は同様の方法でＤＩ値とＯＰＣ値の関係を入れ替えて算出を行う。
【０１３３】
以上、第２のＯＰＣでの記録パワーの算出方法の一例を説明してきたが、上述以外の算出方法で記録パワーを求めても本発明に適応できることはいうまでもない。
【０１３４】
続いて、上述の第２のＯＰＣでの記録パワー算出方法で求めた記録パワーを用いて第２のＯＰＣを行い（ステップＳ４１ａ）、前記第２のＯＰＣ記録によって形成された記録信号を再生し、前記第２のＯＰＣ記録での各記録パワーに対応したエラーレート値を取得し（ステップＳ４２ａ）、前記第２のＯＰＣ記録での各記録パワーとそれに対応した上述のエラーレート値との間に近似式を算出する（ステップ４３ａ）。ここで近似式についてであるが、図３１乃至図３７の説明で示した記録パワーが３種類での第２のＯＰＣ記録を行う場合は２次の多項式を利用した最小二乗法を用いることとし、記録パワーが４種類での第２のＯＰＣ記録を行う場合は３次の多項式を利用した最小二乗法を用いることとする。記録パワーが５種類以上の場合は３次以上の多項式を利用した最小二乗法を用いると良い。
【０１３５】
近似式算出後、前記近似式からエラーレート値が最小となる記録パワーを算出する（ステップＳ４４ａ）。ステップＳ４４ａで算出した記録パワーを通常のデータ記録で使用するため記録パワー決定部２７へと送る（ステップＳ４５ａ）。これにより通常のデータ記録時の最適記録を行うための記録パワーを使用することが可能となる。
【０１３６】
ここで求めた記録パワーは、光ディスク１ａへ次回記録する場合に記録パラメータ設定（前記記録パワー）に使用できるようにディスク管理領域内のＤＳＩ領域に記録するか、または、光情報記録媒体記録装置内のメモリ３０に前記記録パラメータ設定を格納すると、次回、前記光ディスク１ａに対して記録を行う場合、役立てることもできる。
【０１３７】
これらの記録パワー最適化方法行われるタイミングは、通常のデータ記録前に行うものとし、起動時や、記録直前に行っても良い。
【０１３８】
以上のように本発明によれば、上述の如く既存の光情報記録媒体記録装置の構成でのＯＰＣなどのテスト記録で得られる最適記録パワーの精度を向上させることができる記録パワー最適化方法及びコンピュータプログラムであり、光情報記録媒体に対して最適な記録パワーを決定することができ、良好に情報の書き込みを行うことによって再生信号品質を向上させることができる。
【図面の簡単な説明】
【０１３９】
【図１】本発明に係る記録パワー最適化方法を実現する光情報記録媒体記録装置の第１の実施の形態を示すブロック図である。
【図２】記録時のレーザ発光波形を示す説明図である。
【図３】本発明に係る記録パワー最適化方法の第１の実施の形態での処理を説明するためのフローチャートである。
【図４】本発明に係る記録パワー最適化方法の第１の実施の形態でテスト記録を行った場合の記録パワーとジッタ値の関係を示すグラフの一例である。
【図５】本発明に係る記録パワー最適化方法の第１の実施の形態でテスト記録を行った場合の記録パワーとジッタ値の関係を示すグラフの一例である。
【図６】本発明に係る記録パワー最適化方法の第１の実施の形態でテスト記録を行った場合の記録パワーとジッタ値の関係を示すグラフの一例である。
【図７】本発明に係る記録パワー最適化方法の第１の実施の形態でテスト記録を行った場合の記録パワーとジッタ値の関係を示すグラフの一例である。
【図８】本発明に係る記録パワー最適化方法の第１の実施の形態でテスト記録を行った場合の記録パワーとジッタ値の関係を示すグラフの一例である。
【図９】本発明に係る記録パワー最適化方法の第１の実施の形態でテスト記録を行った場合の記録パワーとジッタ値の関係を示すグラフの一例である。
【図１０】本発明に係る記録パワー最適化方法の第１の実施の形態でテスト記録を行った場合の記録パワーとジッタ値の関係を示すグラフの一例である。
【図１１】本発明に係る記録パワー最適化方法を実現する光情報記録媒体記録装置の第２の実施の形態を示すブロック図である。
【図１２】本発明に係る記録パワー最適化方法の第２の実施の形態での処理を説明するためのフローチャートである。
【図１３】本発明に係る記録パワー最適化方法の第２の実施の形態でテスト記録を行った場合の記録パワーとエラーレート値の関係を示すグラフの一例である。
【図１４】本発明に係る記録パワー最適化方法の第２の実施の形態でテスト記録を行った場合の記録パワーとエラーレート値の関係を示すグラフの一例である。
【図１５】本発明に係る記録パワー最適化方法の第２の実施の形態でテスト記録を行った場合の記録パワーとエラーレート値の関係を示すグラフの一例である。
【図１６】本発明に係る記録パワー最適化方法の第２の実施の形態でテスト記録を行った場合の記録パワーとエラーレート値の関係を示すグラフの一例である。
【図１７】本発明に係る記録パワー最適化方法の第２の実施の形態でテスト記録を行った場合の記録パワーとエラーレート値の関係を示すグラフの一例である。
【図１８】本発明に係る記録パワー最適化方法の第２の実施の形態でテスト記録を行った場合の記録パワーとエラーレート値の関係を示すグラフの一例である。
【図１９】本発明に係る記録パワー最適化方法の第２の実施の形態でテスト記録を行った場合の記録パワーとエラーレート値の関係を示すグラフの一例である。
【図２０】本発明に係る記録パワー最適化方法を実現する光情報記録媒体記録装置の第３の実施の形態を示すブロック図である。
【図２１】本発明に係る記録パワー最適化方法の第３の実施の形態での処理を説明するためのフローチャートである。
【図２２】本発明に係る記録パワー最適化方法の第３の実施の形態で第２のＯＰＣを行った場合の記録パワーとジッタ値の関係を示すグラフの一例である。
【図２３】本発明に係る記録パワー最適化方法の第３の実施の形態で第２のＯＰＣを行った場合の記録パワーとジッタ値の関係を示すグラフの一例である。
【図２４】本発明に係る記録パワー最適化方法の第３の実施の形態で第２のＯＰＣを行った場合の記録パワーとジッタ値の関係を示すグラフの一例である。
【図２５】本発明に係る記録パワー最適化方法の第３の実施の形態で第２のＯＰＣを行った場合の記録パワーとジッタ値の関係を示すグラフの一例である。
【図２６】本発明に係る記録パワー最適化方法の第３の実施の形態で第２のＯＰＣを行った場合の記録パワーとジッタ値の関係を示すグラフの一例である。
【図２７】本発明に係る記録パワー最適化方法の第３の実施の形態で第２のＯＰＣを行った場合の記録パワーとジッタ値の関係を示すグラフの一例である。
【図２８】本発明に係る記録パワー最適化方法の第３の実施の形態で第２のＯＰＣを行った場合の記録パワーとジッタ値の関係を示すグラフの一例である。
【図２９】本発明に係る記録パワー最適化方法を実現する光情報記録媒体記録装置の第４の実施の形態を示すブロック図である。
【図３０】本発明に係る記録パワー最適化方法の第４の実施の形態での処理を説明するためのフローチャートである。
【図３１】本発明に係る記録パワー最適化方法の第４の実施の形態で第２のＯＰＣを行った場合の記録パワーとエラーレート値の関係を示すグラフの一例である。
【図３２】本発明に係る記録パワー最適化方法の第４の実施の形態で第２のＯＰＣを行った場合の記録パワーとエラーレート値の関係を示すグラフの一例である。
【図３３】本発明に係る記録パワー最適化方法の第４の実施の形態で第２のＯＰＣを行った場合の記録パワーとエラーレート値の関係を示すグラフの一例である。
【図３４】本発明に係る記録パワー最適化方法の第４の実施の形態で第２のＯＰＣを行った場合の記録パワーとエラーレート値の関係を示すグラフの一例である。
【図３５】本発明に係る記録パワー最適化方法の第４の実施の形態で第２のＯＰＣを行った場合の記録パワーとエラーレート値の関係を示すグラフの一例である。
【図３６】本発明に係る記録パワー最適化方法の第４の実施の形態で第２のＯＰＣを行った場合の記録パワーとエラーレート値の関係を示すグラフの一例である。
【図３７】本発明に係る記録パワー最適化方法の第４の実施の形態で第２のＯＰＣを行った場合の記録パワーとエラーレート値の関係を示すグラフの一例である。
【符号の説明】
【０１４０】
１，１ａ    光ディスク（光情報記録媒体）
２    スピンドルモータ
１０    光ピックアップ
１１    半導体レーザ
１２    コリメートレンズ
１３    ビームスプリッタ
１４    対物レンズ
１５    シリンドリカル（集光）レンズ
１６    フォトディテクタ
２０    プリアンプ
２１    マトリクス回路
２２    ＥＱ（イコライザ）
２３    ニ値化回路
２４    ＰＬＬ（フェーズロックループ）
２５    記録パワー情報復調部
２６    記録パルス情報復調部
２７    記録パワー決定部
２８    記録パルス決定部
２９    ＣＰＵ
３０    メモリ
３１    レーザ駆動回路
３２    ジッタ計測部
３３    エラーレート計測部
３４    変調度計測部
【図１】
2008300000.tif 000003
【図２】
2008300000.tif 000004
【図３】
2008300000.tif 000005
【図４】
2008300000.tif 000006
【図５】
2008300000.tif 000007
【図６】
2008300000.tif 000008
【図７】
2008300000.tif 000009
【図８】
2008300000.tif 000010
【図９】
2008300000.tif 000011
【図１０】
2008300000.tif 000012
【図１１】
2008300000.tif 000013
【図１２】
2008300000.tif 000014
【図１３】
2008300000.tif 000015
【図１４】
2008300000.tif 000016
【図１５】
2008300000.tif 000017
【図１６】
2008300000.tif 000018
【図１７】
2008300000.tif 000019
【図１８】
2008300000.tif 000020
【図１９】
2008300000.tif 000021
【図２０】
2008300000.tif 000022
【図２１】
2008300000.tif 000023
【図２２】
2008300000.tif 000024
【図２３】
2008300000.tif 000025
【図２４】
2008300000.tif 000026
【図２５】
2008300000.tif 000027
【図２６】
2008300000.tif 000028
【図２７】
2008300000.tif 000029
【図２８】
2008300000.tif 000030
【図２９】
2008300000.tif 000031
【図３０】
2008300000.tif 000032
【図３１】
2008300000.tif 000033
【図３２】
2008300000.tif 000034
【図３３】
2008300000.tif 000035
【図３４】
2008300000.tif 000036
【図３５】
2008300000.tif 000037
【図３６】
2008300000.tif 000038
【図３７】
2008300000.tif 000039
【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適化手段を備えた光情報記録媒体記録装置であって、
前記記録パワー最適化手段は、読取記憶手段と、算出手段とを有しており、
前記読取記憶手段は、
当該光情報記録媒体に記録してある前記推奨記録パワー情報及び前記前回記録パワー情報、前記テスト記録パワー情報をそれぞれ読み取った後、一時記憶し、
前記算出手段は、
前記読取記憶手段にて一時記憶した前記推奨記録パワー情報と前記前回記録パワー情報とを比較して、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３つの記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３つの記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３つの記録パワー情報を用いて、前記テスト記録時に用いる記録領域に対してテスト記録を実行し、
当該テスト記録により得た再生信号の信号品質にリンクする物理量を測定し、
少なくとも３つの記録パワー情報と前記物理量との相関を示す近似式を求め、
求めた前記近似式から前記物理量が最小となる記録パワー情報を、本記録時の記録パワー情報として、算出することを特徴とする光情報記録媒体記録装置。
【請求項２】
当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適方法であって、
当該光情報記録媒体に記録してある前記推奨記録パワー情報及び前記前回記録パワー情報、前記テスト記録パワー情報を読み取る読取ステップと、
前記読取ステップで読み取った前記推奨記録パワー情報及び前記前回記録パワー情報、前記テスト記録パワー情報を一時記憶する記憶ステップと、
前記記憶ステップで一時記憶した前記推奨記録パワー情報と前記前回記録パワー情報とを比較する比較ステップと、
前記比較ステップで比較した結果、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３つの記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３つの記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３つの記録パワー情報を用いて、前記テスト記録時に用いる記録領域に対してテスト記録を実行するテスト記録ステップと、
前記テスト記録ステップにより得た再生信号の信号品質にリンクする物理量を測定する物理量測定ステップと、
少なくとも３つの記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適化方法。
【請求項３】
当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適処理を実行させるためのコンピュータプログラムであって、
当該光情報記録媒体に記録してある前記推奨記録パワー情報及び前記前回記録パワー情報、前記テスト記録パワー情報を読み取る読取ステップと、
前記読取ステップで読み取った前記推奨記録パワー情報及び前記前回記録パワー情報、前記テスト記録パワー情報を一時記憶する記憶ステップと、
前記記憶ステップで一時記憶した前記推奨記録パワー情報と前記前回記録パワー情報とを比較する比較ステップと、
前記比較ステップで比較した結果、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３つの記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３つの記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３つの記録パワー情報を用いて、前記テスト記録時に用いる記録領域に対してテスト記録を実行するテスト記録ステップと、
前記テスト記録ステップにより得た再生信号の信号品質にリンクする物理量を測定する物理量測定ステップと、
少なくとも３つの記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適処理を実行させるためのコンピュータプログラム。
【請求項４】
当該光情報記録媒体に係る推奨記録パワー情報を予め記録しており、かつ、本記録に先立つテスト記録時に用いるＯＰＣ（ｏｐｔｉｍｕｍ  ｐｏｗｅｒ  ｃｏｎｔｒｏｌ）領域を有する光情報記録媒体に対して、本記録時の記録パワー情報を最適化する記録パワー最適化手段を備えた光情報記録媒体記録装置であって、
前記記録パワー最適化手段は、推奨記録パワー情報読取記憶手段と、ＯＰＣ記録手段と、ＯＰＣ読取記憶手段と、算出手段とを有しており、
前記推奨記録パワー情報読取記憶手段は、前記推奨記録パワー情報を読み取った後に、一時記憶し、
前記ＯＰＣ記録手段は、所定の記録パワー情報を用いて、前記ＯＰＣ領域に対して第１のＯＰＣ記録を実行し、この後に、必要に応じて、第２のＯＰＣ記録を実行し、
前記ＯＰＣ読取記憶手段は、第１のＯＰＣ記録で得られた記録パワー情報を一時記憶し、
前記算出手段は、
前記推奨記録パワー情報読取記憶手段に一時記憶した前記推奨記録パワー情報と、前記ＯＰＣ読取記憶手段に一時記憶した第１のＯＰＣ記録で得られた記録パワー情報とを比較して、前記推奨記録パワー情報と第１のＯＰＣ記録で得られた記録パワー情報とが等しいときは、本記録時に用いる記録パワー情報として、第１のＯＰＣ記録で得られた記録パワー情報を用い、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３つの記録パワー情報を用いて、
前記ＯＰＣ領域に対して第２のＯＰＣ記録を実行し、
当該第２のＯＰＣ記録により得た再生信号の信号品質にリンクする物理量を測定し、
少なくとも３つの記録パワー情報と前記物理量との相関を示す近似式を求め、
求めた前記近似式から前記物理量が最小となる記録パワー情報を、本記録時の記録パワー情報として算出することを特徴とする光情報記録媒体記録装置。
【請求項５】
当該光情報記録媒体に係る推奨記録パワー情報を予め記録しており、かつ、本記録に先立つテスト記録時に用いるＯＰＣ領域を有する光情報記録媒体に対して、本記録時の記録パワー情報を最適化する光情報記録媒体記録方法であって、
前記推奨記録パワー情報を読み取る読取ステップと、
前記読取ステップで読み取った前記推奨記録パワー情報及び所定の記録パワー情報を一時記憶する記憶ステップと、
前記記憶ステップで一時記憶した所定の記録パワー情報を用いて、前記ＯＰＣ領域に対する第１のＯＰＣ記録を実行するステップと、
一時記憶してある前記推奨記録パワー情報と第１のＯＰＣ記録で得られた記録パワー情報とを比較する比較ステップと、
前記比較ステップで比較した結果、前記推奨記録パワー情報と第１のＯＰＣ記録で得られた記録パワー情報とが等しいときは、本記録時に用いる記録パワー情報として、第１のＯＰＣ記録で得られた記録パワー情報を本記録時の記録パワー情報として算出するステップと、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３つの記録パワー情報を用いて、
前記ＯＰＣ領域に対して第２のＯＰＣ記録を実行するステップと、
前記第２のＯＰＣ記録ステップにより得た再生信号の信号品質にリンクする物理量を測定する物理量測定ステップと、
少なくとも３つの記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適化方法。
【請求項６】
当該光情報記録媒体に係る推奨記録パワー情報を予め記録しており、かつ、本記録に先立つテスト記録時に用いるＯＰＣ領域を有する光情報記録媒体に対して、本記録時の記録パワー情報を最適化する記録パワー最適処理を実行させるためのコンピュータプログラムであって、
前記推奨記録パワー情報を読み取る読取ステップと、
前記読取ステップで読み取った前記推奨記録パワー情報及び所定の記録パワー情報を一時記憶する記憶ステップと、
前記記憶ステップで一時記憶した所定の記録パワー情報を用いて、前記ＯＰＣ領域に対する第１のＯＰＣ記録を実行するステップと、
一時記憶してある前記推奨記録パワー情報と第１のＯＰＣ記録で得られた記録パワー情報とを比較する比較ステップと、
前記比較ステップで比較した結果、前記推奨記録パワー情報と第１のＯＰＣ記録で得られた記録パワー情報とが等しいときは、本記録時に用いる記録パワー情報として、第１のＯＰＣで得られた記録パワー情報を本記録時の記録パワー情報として算出するステップと、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３つの記録パワー情報を用いて、
前記ＯＰＣ領域に対して第２のＯＰＣ記録を実行するステップと、
前記第２のＯＰＣ記録ステップにより得た再生信号の信号品質にリンクする物理量を測定する物理量測定ステップと、
少なくとも３つの記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適処理を実行させるためのコンピュータプログラム。
【請求項７】
前記近似式とは、２次以上の多項式を利用した最小二乗法を用いた近似式であることを特徴とする請求項１又は４に記載の光情報記録媒体記録装置。
【請求項８】
前記信号品質にリンクする物理量とは、ジッタ値又はエラーレート値であることを特徴とする請求項１、４又は７に記載の光情報記録媒体記録装置。
【請求項９】
前記近似式とは、２次以上の多項式を利用した最小二乗法を用いた近似式であることを特徴とする請求項２又は５に記載の記録パワー最適化方法。
【請求項１０】
前記信号品質にリンクする物理量とは、ジッタ値又はエラーレート値であることを特徴とする請求項２、５又は９に記載の記録パワー最適化方法。
【請求項１１】
前記近似式とは、２次以上の多項式を利用した最小二乗法を用いた近似式であることを特徴とする請求項３又は６に記載の記録パワー最適処理を実行させるためのコンピュータプログラム。
【請求項１２】
前記信号品質にリンクする物理量とは、ジッタ値又はエラーレート値であることを特徴とする請求項３、６又は１１に記載の記録パワー最適処理を実行させるためのコンピュータプログラム。
【手続補正２】
【補正対象書類名】明細書
【補正対象項目名】０００２
【補正方法】変更
【補正の内容】
【０００２】
従来、データの書き換え可能な光情報記録媒体として、ＣＤ−Ｒ、ＣＤ−ＲＷ、ＤＶＤ−Ｒ、ＤＶＤ−ＲＷ、ＤＶＤ−ＲＡＭ、ＭＤ、ＭＯなどがあり、更に近年は、より大容量のＢＤ−ＲＥ、ＢＤ−Ｒが開発され、これらが一般に販売されている。
【手続補正３】
【補正対象書類名】明細書
【補正対象項目名】００１０
【補正方法】変更
【補正の内容】
【００１０】
この記録条件を最適化する従来技術として、例えば記録パワーの最適化については、下記の特許文献１に記載の技術がある。特許文献１によれば、記録パワーを逐次変化させながら未記録部と記録部とからなるパターンのテスト記録を行い、このテスト記録した記録パターンから情報を再生して記録パワーＰに対応した信号振幅をモニターし、規格化された傾斜ｇ（Ｐ）もしくは、規格化されたｈ（Ｐ）を求め、ｇ（Ｐ）、もしくはｈ（Ｐ）に基づき記録パワーの過不足を評価し最適記録パワーを求めている。
また、下記の特許文献２に記載の技術は、テスト記録を行うと共に、該テスト記録後のテスト領域を再生し、再生信号品質を判定し最適記録パワーを決定した後、予め光記録再正装置内のメモリ回路に記憶されている標準記録パワーと前記最適記録パワーとの比率から最適化補正率を算出し、この算出された最適化補正率でメモリ回路に記憶されている標準消去パワーを補正している。
【手続補正４】
【補正対象書類名】明細書
【補正対象項目名】００１１
【補正方法】変更
【補正の内容】
【００１１】
【特許文献１】特許第３１２４７２１号公報
【特許文献２】特許第２６９７６５８号公報
【手続補正５】
【補正対象書類名】明細書
【補正対象項目名】００１３
【補正方法】変更
【補正の内容】
【００１３】
一方、特許文献２に開示された技術では、テスト記録後再生テストを行い再生品質判定結果に基づいて最適記録パワーを決定し、前記最適記録パワーとメモリ回路に記憶されている標準記録パワーとの比率から決定される最適化補正率で、標準消去パワーを補正し最適消去パワー得ると記載されているが、最適化補正率の算出式するにあたり前記標準記録パワー及び標準消去パワー等を光記録再生装置内のメモリ回路に記憶していなければならず、全ての記録型光情報記録媒体の種類に対応する標準パワーをメモリ回路内に記憶しておくことは現実的には難しい。
【手続補正６】
【補正対象書類名】明細書
【補正対象項目名】００１４
【補正方法】変更
【補正の内容】
【００１４】
本発明は、ディスクなどの光情報記録媒体メーカー推奨記録パワー情報及び前回記録時の記録パワーが記録され、かつ、テスト記録領域を有する光情報記録媒体に対して、既存の構成の光情報記録媒体記録装置を用いて限られた記録パワー条件でのテスト記録で時間短縮及び精度を向上させ、光情報記録媒体に対して良好なマーク及びスペースを形成し再生信号品質を向上させることができる最適記録パワーを決定する記録パワー最適化手段を備えた光情報記録媒体記録装置、記録パワー最適化方法及びコンピュータプログラムを提供することを目的とする。
【手続補正７】
【補正対象書類名】明細書
【補正対象項目名】００１５
【補正方法】変更
【補正の内容】
【００１５】
また、本発明は、予めディスクなどの光情報記録媒体メーカー推奨記録パワー情報が記録され、かつ、ＯＰＣ領域を有する光情報記録媒体に対して、ＯＰＣの精度を向上させ、光情報記録媒体に対して良好なマーク及びスペースを形成し再生信号品質を向上させることができる最適記録パワーを決定する記録パワー最適化手段を備えた光情報記録媒体記録装置、記録パワー最適化方法及びコンピュータプログラムを提供することを目的とする。
【手続補正８】
【補正対象書類名】明細書
【補正対象項目名】００１７
【補正方法】変更
【補正の内容】
【００１７】
（１）図１（図１１）に示すように、当該光情報記録媒体（光ディスク）１に係る推奨記録パワー情報（ディスクメーカー推奨の記録パワー情報）ＤＩ及び当該光情報記録媒体１に対する前回記録時の前回記録パワー情報（前回記録時に使用した記録パワー情報）ＤＳＩを記録し、かつ、本記録に先立つテスト記録時に用いる記録領域（所定の管理領域内に存在する記録領域）を有する光情報記録媒体１に対して、本記録時の記録パワー情報を最適化する記録パワー最適化手段（記録パワー情報復調部２５、記録パルス情報復調部２６、記録パワー決定部２７、記録パルス決定部２８、ＣＰＵ２９、メモリ３０、ジッタ計測部３２（エラーレート計測部３３）を有して構成される）を備えた光情報記録媒体記録装置であって、
前記記録パワー最適化手段は、読取記憶手段と、算出手段とを有しており、
前記読取記憶手段は、
当該光情報記録媒体に記録してある前記推奨記録パワー情報及び前記前回記録パワー情報、前記テスト記録パワー情報をそれぞれ読み取った後、一時記憶し、
前記算出手段は、
前記読取記憶手段にて一時記憶した前記推奨記録パワー情報と前記前回記録パワー情報とを比較して、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
図４、図７（図１３、図１６）に示すように、前記推奨記録パワー情報と、前記前回記録パワー情報と、前記推奨記録パワー情報及び前記前回記録パワー情報の間に位置するパワー情報との、少なくとも３つの記録パワー情報を用いるか、又は、
図５（図１４）に示すように、前記推奨記録パワー情報と、前記前回記録パワー情報と、
前記推奨記録パワー情報及び前記前回記録パワー情報のいずれも下回るパワー情報との、
少なくとも３つの記録パワー情報を用いるか、又は、
図６（図１５）に示すように、前記推奨記録パワー情報と、前記前回記録パワー情報と、
前記推奨記録パワー情報及び前記前回記録パワー情報のいずれも上回るパワー情報との、
少なくとも３つの記録パワー情報を用いて、前記テスト記録時に用いる記録領域に対してテスト記録を実行し、
当該テスト記録により得た再生信号の信号品質にリンクする物理量を測定し、
少なくとも３つの記録パワー情報と前記物理量との相関を示す近似式を求め、
求めた前記近似式から前記物理量が最小となる記録パワー情報を、本記録時の記録パワー情報として、算出することを特徴とする光情報記録媒体記録装置。
【手続補正９】
【補正対象書類名】明細書
【補正対象項目名】００１８
【補正方法】変更
【補正の内容】
【００１８】
（２）図３（図１２）に示すように、当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適方法であって、
当該光情報記録媒体に記録してある前記推奨記録パワー情報及び前記前回記録パワー情報、前記テスト記録パワー情報を読み取る読取ステップと、
前記読取ステップで読み取った前記推奨記録パワー情報及び前記前回記録パワー情報、
前記テスト記録パワー情報を一時記憶する記憶ステップと、
前記記憶ステップで一時記憶した前記推奨記録パワー情報と前記前回記録パワー情報とを比較する比較ステップと、
前記比較ステップで比較した結果、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３つの記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３つの記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３つの記録パワー情報を用いて、前記テスト記録時に用いる記録領域に対してテスト記録を実行するテスト記録ステップと、
前記テスト記録ステップにより得た再生信号の信号品質にリンクする物理量を測定する物理量測定ステップと、
少なくとも３つの記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適化方法。
【手続補正１０】
【補正対象書類名】明細書
【補正対象項目名】００１９
【補正方法】変更
【補正の内容】
【００１９】
（３）図３（図１２）に示すように、当該光情報記録媒体に係る推奨記録パワー情報及び当該光情報記録媒体に対する前回記録時の前回記録パワー情報を記録し、かつ、本記録に先立つテスト記録時に用いる記録領域を有する光情報記録媒体に対して、本記録時の記録パワー情報を最適化する記録パワー最適処理を（ＣＰＵ２９に）実行させるためのコンピュータプログラムであって、
当該光情報記録媒体に記録してある前記推奨記録パワー情報及び前記前回記録パワー情報、前記テスト記録パワー情報を読み取る読取ステップと、
前記読取ステップで読み取った前記推奨記録パワー情報及び前記前回記録パワー情報、
前記テスト記録パワー情報を一時記憶する記憶ステップと、
前記記憶ステップで一時記憶した前記推奨記録パワー情報と前記前回記録パワー情報とを比較する比較ステップと、
前記比較ステップで比較した結果、前記推奨記録パワー情報と前記前回記録パワー情報とが等しいときは、本記録時に用いる記録パワー情報として、前記前回記録パワー情報を用い、
前記推奨記録パワー情報と前記前回記録パワー情報とが等しくないときには、
前記推奨記録パワー情報と、前記前回記録パワー情報と、前記推奨記録パワー情報及び前記前回記録パワー情報の間に位置するパワー情報との、少なくとも３つの記録パワー情報を用いるか、又は、
前記推奨記録パワー情報と、前記前回記録パワー情報と、前記推奨記録パワー情報及び前記前回記録パワー情報のいずれも下回るパワー情報との、少なくとも３つの記録パワー情報を用いるか、又は、
前記推奨記録パワー情報と、前記前回記録パワー情報と、前記推奨記録パワー情報及び前記前回記録パワー情報のいずれも上回るパワー情報との、少なくとも３つの記録パワー情報を用いて、前記テスト記録時に用いる記録領域に対してテスト記録を実行するテスト記録ステップと、
前記テスト記録ステップにより得た再生信号の信号品質にリンクする物理量を測定する物理量測定ステップと、
少なくとも３つの記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適処理を実行させるためのコンピュータプログラム。
【手続補正１１】
【補正対象書類名】明細書
【補正対象項目名】００２０
【補正方法】変更
【補正の内容】
【００２０】
（４）図２０（図２９）に示すように、当該光情報記録媒体（光ディスク）１ａに係る推奨記録パワー情報（ディスクメーカー推奨の記録パワー情報）ＤＩを予め記録しており、
かつ、本記録に先立つテスト記録時に用いるＯＰＣ（ｏｐｔｉｍｕｍ  ｐｏｗｅｒ  ｃｏｎｔｒｏｌ）領域を有する光情報記録媒体１ａに対して、本記録時の記録パワー情報を最適化する記録パワー最適化手段（記録パワー情報復調部２５、記録パルス情報復調部２６、記録パワー決定部２７、記録パルス決定部２８、ＣＰＵ２９、メモリ３０、ジッタ計測部３２（エラーレート計測部３３）、変調度計測部３４を有して構成される）を備えた光情報記録媒体記録装置であって、
前記記録パワー最適化手段は、推奨記録パワー情報読取記憶手段と、ＯＰＣ記録手段と、ＯＰＣ読取記憶手段と、算出手段とを有しており、
前記推奨記録パワー情報読取記憶手段は、前記推奨記録パワー情報を読み取った後に、
一時記憶し、
前記ＯＰＣ記録手段は、所定の記録パワー情報を用いて、前記ＯＰＣ領域に対して第１のＯＰＣ記録を実行し、この後に、必要に応じて、第２のＯＰＣ記録を実行し、
前記ＯＰＣ読取記憶手段は、第１のＯＰＣ記録で得られた記録パワー情報を一時記憶し、
前記算出手段は、
前記推奨記録パワー情報読取記憶手段に一時記憶した前記推奨記録パワー情報と、前記ＯＰＣ読取記憶手段に一時記憶した第１のＯＰＣ記録で得られた記録パワー情報とを比較して、前記推奨記録パワー情報と第１のＯＰＣ記録で得られた記録パワー情報とが等しいときは、本記録時に用いる記録パワー情報として、第１のＯＰＣ記録で得られた記録パワー情報を用い、
前記推奨記録パワー情報と第１のＯＰＣ記録で得られた記録パワー情報とが等しくないときには、
図２２、図２７（図３１、図３４）に示すように、前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３つの記録パワー情報を用いるか、又は、
図２３（図３２）に示すように、前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３つの記録パワー情報を用いるか、又は、
図２４（図３３）に示すように、前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３つの記録パワー情報を用いて、
前記ＯＰＣ領域に対して第２のＯＰＣ記録を実行し、
当該第２のＯＰＣ記録により得た再生信号の信号品質にリンクする物理量を測定し、
少なくとも３つの記録パワー情報と前記物理量との相関を示す近似式を求め、
求めた前記近似式から前記物理量が最小となる記録パワー情報を、本記録時の記録パワー情報として算出することを特徴とする光情報記録媒体記録装置。
【手続補正１２】
【補正対象書類名】明細書
【補正対象項目名】００２１
【補正方法】変更
【補正の内容】
【００２１】
（５）図２１（図３０）に示すように、当該光情報記録媒体に係る推奨記録パワー情報を予め記録しており、かつ、本記録に先立つテスト記録時に用いるＯＰＣ領域を有する光情報記録媒体に対して、本記録時の記録パワー情報を最適化する光情報記録媒体記録方法であって、
前記推奨記録パワー情報を読み取る読取ステップと、
前記読取ステップで読み取った前記推奨記録パワー情報及び所定の記録パワー情報を一時記憶する記憶ステップと、
前記記憶ステップで一時記憶した所定の記録パワー情報を用いて、前記ＯＰＣ領域に対する第１のＯＰＣ記録を実行するステップと、
一時記憶してある前記推奨記録パワー情報と第１のＯＰＣ記録で得られた記録パワー情報とを比較する比較ステップと、
前記比較ステップで比較した結果、前記推奨記録パワー情報と第１のＯＰＣ記録で得られた記録パワー情報とが等しいときは、本記録時に用いる記録パワー情報として、第１のＯＰＣ記録で得られた記録パワー情報を本記録時の記録パワー情報として算出するステップと、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３つの記録パワー情報を用いて、
前記ＯＰＣ領域に対して第２のＯＰＣ記録を実行するステップと、
前記第２のＯＰＣ記録で得られた再生信号の信号品質にリンクする物理量を測定する物理量測定ステップと、
少なくとも３つの記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適化方法。
【手続補正１３】
【補正対象書類名】明細書
【補正対象項目名】００２２
【補正方法】変更
【補正の内容】
【００２２】
（６）図２１（図３０）に示すように、当該光情報記録媒体に係る推奨記録パワー情報を予め記録しており、かつ、本記録に先立つテスト記録時に用いるＯＰＣ領域を有する光情報記録媒体に対して、本記録時の記録パワー情報を最適化する記録パワー最適処理を実行させるためのコンピュータプログラムであって、
前記推奨記録パワー情報を読み取る読取ステップと、
前記読取ステップで読み取った前記推奨記録パワー情報及び所定の記録パワー情報を一時記憶する記憶ステップと、
前記記憶ステップで一時記憶した所定の記録パワー情報を用いて、前記ＯＰＣ領域に対する第１のＯＰＣ記録を実行するステップと、
一時記憶してある前記推奨記録パワー情報と第１のＯＰＣ記録で得られた記録パワー情報とを比較する比較ステップと、
前記比較ステップで比較した結果、前記推奨記録パワー情報と第１のＯＰＣ記録で得られた記録パワー情報とが等しいときは、本記録時に用いる記録パワー情報として、第１のＯＰＣ記録で得られた記録パワー情報を本記録時の記録パワー情報として算出するステッ
プと、
前記推奨記録パワー情報と第１のＯＰＣ記録で得られた記録パワー情報とが等しくないときには、
前記推奨記録パワー情報と、第１のＯＰＣ記録で得られた記録パワー情報と、前記推奨記録パワー情報及び第１のＯＰＣ記録で得られた記録パワー情報の間に位置するパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも下回るパワー情報との、少なくとも３つの記録パワー情報を用いるか、又は、
前記推奨記録パワー情報と、第１のＯＰＣ記録で得られた記録パワー情報と、前記推奨記録パワー情報及び第１のＯＰＣ記録で得られた記録パワー情報のいずれも上回るパワー情報との、少なくとも３つの記録パワー情報を用いて、
前記ＯＰＣ領域に対して第２のＯＰＣ記録を実行するステップと、
前記第２のＯＰＣ記録で得られた再生信号の信号品質にリンクする物理量を測定する物理量測定ステップと、
少なくとも３つの記録パワー情報と前記物理量との相関を示す近似式を求めるステップと、
求めた前記近似式から前記物理量が最小となる記録パワー情報を、本記録時の記録パワー情報として、算出する算出ステップとを有することを特徴とする記録パワー最適処理を実行させるためのコンピュータプログラム。
【手続補正１４】
【補正対象書類名】明細書
【補正対象項目名】００２４
【補正方法】変更
【補正の内容】
【００２４】
（８）  前記信号品質にリンクする物理量とは、ジッタ値又はエラーレート値であることを特徴とする請求項１、４又は７に記載の光情報記録媒体記録装置。
【手続補正１５】
【補正対象書類名】明細書
【補正対象項目名】００２６
【補正方法】変更
【補正の内容】
【００２６】
（１０）  前記信号品質にリンクする物理量とは、ジッタ値又はエラーレート値であることを特徴とする請求項２、５又は９に記載の記録パワー最適化方法。
【手続補正１６】
【補正対象書類名】明細書
【補正対象項目名】００２８
【補正方法】変更
【補正の内容】
【００２８】
（１２）  前記信号品質にリンクする物理量とは、ジッタ値又はエラーレート値であることを特徴とする請求項３、６又は１１に記載の記録パワー最適処理を実行させるためのコンピュータプログラム。
【手続補正１７】
【補正対象書類名】明細書
【補正対象項目名】００３４
【補正方法】変更
【補正の内容】
【００３４】
まず、本発明に係る光情報記録媒体記録装置、記録パワー最適化方法及びコンピュータプログラムを実現する第１の実施の形態について、図１に示す光情報記録媒体記録装置のブロック図を用いて説明する。図１に示す光情報記録媒体記録装置において、情報を繰り返し記録再生可能な相変化型の光情報記録媒体（光ディスク）１をスピンドルモータ２により回転駆動して、光ディスク１の記録トラックを光ピックアップ（光ＰＵ）１０から出射する記録又は再生用レーザ光で走査することにより、所定のデータフォーマットのデジタルデータ（ここでは、ライトクロック周期：１Ｔに対して、マーク長／スペース長が２Ｔ、３Ｔ〜８Ｔとシンクデータに含まれる９Ｔを含むデータ等）を光学的に記録又は再生する。
【手続補正１８】
【補正対象書類名】明細書
【補正対象項目名】００４０
【補正方法】変更
【補正の内容】
【００４０】
起動時、もしくは、記録動作の直前において、光ディスク１のディスク管理領域内のＤｉｓｃ  Ｉｎｆｏｒｍａｔｉｏｎ（以下「ＤＩ」と記す）領域に予め記憶されている光ディスクメーカー推奨の推奨記録パワー情報を読み込み、上記経路を経て得られたデジタル信号の内、記録パワー情報は記録パワー情報復調部２５で復調され、記録パルス情報は記録パルス情報復調部２６で復調され、それぞれ復調された記録パワー情報は記録パワー決定部２７へ、記録パルス情報は記録パルス決定部２８へと送られ、記録条件として用いることが出来る。
【手続補正１９】
【補正対象書類名】明細書
【補正対象項目名】００４９
【補正方法】変更
【補正の内容】
【００４９】
本実施の形態は、ディスクメーカー推奨記録パワー情報及び前回記録時の記録パワーが記録され、かつ、テスト記録領域を有する光ディスクに対して、図１に示すようなテスト記録が可能な既存の光情報記録媒体記録装置を使用し、テスト記録の時間短縮、精度を向上させ最適記録パワーを求めるもので、これにより、良好に情報の書き込みが行え、再生信号品質を向上させることが可能となるが、以下、図３のフローチャートに沿って第１のステップ乃至第１２のステップについて詳細の説明を行う。
【手続補正２０】
【補正対象書類名】明細書
【補正対象項目名】００６８
【補正方法】変更
【補正の内容】
【００６８】
＜第２の実施の形態＞
図１１は本発明に係る光情報記録媒体記録装置、記録パワー最適化方法及びコンピュータプログラムを実現するための第２の実施の形態を示すブロック図、図１２は本発明に係る記録パワー最適化方法及びコンピュータプログラムの第２の実施の形態での処理を説明するためのフローチャートで、図１３乃至図１９は本発明に係る記録パワー最適化方法及びコンピュータプログラムの第２の実施の形態でテスト記録を行った場合の記録パワーとエラーレート値の関係を示す図である。
【手続補正２１】
【補正対象書類名】明細書
【補正対象項目名】００７１
【補正方法】変更
【補正の内容】
【００７１】
本実施の形態は、ディスクメーカー推奨記録パワー情報及び前回記録時の記録パワーが記録され、かつ、テスト記録領域を有する光ディスク１に対して、図１１に示す光情報記録媒体記録装置を用い、テスト記録の時間短縮、精度を向上させ最適記録パワーを求めるもので、これにより、良好に情報の書き込みが行え、再生信号品質を向上させることが可能となるが、以下、図１２のフローチャートに沿って第３１のステップ乃至第４２のステップについて詳細の説明を行う。
【手続補正２２】
【補正対象書類名】明細書
【補正対象項目名】００８５
【補正方法】変更
【補正の内容】
【００８５】
続いて、上述の記録パワー算出方法で求めた記録パワーを用いてテスト記録を行い（ステップＳ３８）、前記テスト記録によって形成された記録信号を再生し、前記テスト記録での各記録パワーに対応したエラーレート値を取得し（ステップＳ３９）、前記テスト記録での各記録パワーとそれに対応した上述のエラーレート値との間に近似式を算出する（ステップＳ４０）。ここで近似式についてであるが、図１３乃至図１９での説明で示した記録パワーが３種類でのテスト記録を行った場合は２次の多項式を利用した最小二乗法を用い、記録パワーが４種類でのテスト記録を行った場合は３次の多項式を利用した最小二乗法を用いると良い。また、記録パワーが５種類以上の場合は３次以上の多項式を利用した最小二乗法を用いると良い。
【手続補正２３】
【補正対象書類名】明細書
【補正対象項目名】００９５
【補正方法】変更
【補正の内容】
【００９５】
起動時、もしくは、記録動作の直前において、光ディスク１ａのＤＩ領域に予め記憶されているディスクメーカー推奨記録パワー情報と、ＯＰＣを実行するために必要なパラメータを読み込み、上記経路を経て得られたデジタル信号の内、記録パワー情報は記録パワー情報復調部２５で復調され、記録パルス情報は記録パルス情報復調部２６で復調される。それぞれ復調された記録パワー情報は記録パワー決定部２７へ、記録パルス情報は記録パルス決定部２８へと送られる。
【手続補正２４】
【補正対象書類名】明細書
【補正対象項目名】００９７
【補正方法】変更
【補正の内容】
【００９７】
ジッタ計測部３２は、光ディスク１ａに対してＯＰＣなどのテスト記録や通常記録時に得られた記録信号を上述のように再生して、ＰＬＬ２４からの前記記録信号に対してジッタ値の計測を行うもので、本実施例では、第２のＯＰＣで形成されたマーク／スペースを上記説明の如く再生して前記ジッタ計測部３２で得られた計測結果はＣＰＵ２９へと送られ、第２のＯＰＣ記録時の各記録パワーとそれに対応したジッタ値との間に近似式を算出し、前記近似式においてジッタ値が最小となる記録パワーを求める最適値選択に使われる。
【手続補正２５】
【補正対象書類名】明細書
【補正対象項目名】００９８
【補正方法】変更
【補正の内容】
【００９８】
本実施の形態は、予めディスクメーカー推奨記録パワー情報が記録され、かつ、ＯＰＣ領域を有する光ディスク１ａに対して、図２０に示すようなＯＰＣなどのテスト記録が可能な既存の光情報記録媒体記録装置を使い、ＯＰＣなどのテスト記録で得られる最適記録パワーの精度を向上させ、これにより、良好に情報の書き込みが行え、再生信号品質を向上させることが可能な記録パワーを得るためのものであり、以下、図２１のフローチャートに沿って第１のステップ（ステップＳ１ａ）乃至第１５のステップ（ステップＳ１５ａ）について詳細の説明を行う。
【手続補正２６】
【補正対象書類名】明細書
【補正対象項目名】０１１２
【補正方法】変更
【補正の内容】
【０１１２】
続いて、上述の第２のＯＰＣでの記録パワー算出方法で求めた記録パワーを用いて第２のＯＰＣを行い（ステップＳ１１ａ）、前記第２のＯＰＣ記録によって形成された記録信号を再生し、前記第２のＯＰＣ記録での各記録パワーに対応したジッタ値を取得し（ステップＳ１２ａ）、前記第２のＯＰＣ記録での各記録パワーとそれに対応した上述のジッタ値との間に近似式を算出する（ステップＳ１３ａ）。ここで近似式についてであるが、図２２乃至図２８での説明で示した記録パワーが３種類での第２のＯＰＣ記録を行う場合は２次の多項式を利用した最小二乗法を用いることとし、記録パワーが４種類での第２のＯＰＣ記録を行う場合は３次の多項式を利用した最小二乗法を用いることとする。記録パワーが５種類以上の場合は３次以上の多項式を利用した最小二乗法を用いると良い。
【手続補正２７】
【補正対象書類名】明細書
【補正対象項目名】０１１９
【補正方法】変更
【補正の内容】
【０１１９】
エラーレート計測部３３は、光ディスク１ａに対してＯＰＣなどのテスト記録や通常のデータ記録時に得られた記録信号を上述のように再生して、ＰＬＬ２４からの前記記録信号に対してエラーレートの計測を行うもので、本実施例では、第２のＯＰＣで形成されたマーク／スペースを上記説明の如く再生して前記エラーレート計測部３５で得られた計測結果はＣＰＵ２９へと送られ、第２のＯＰＣ記録時の各記録パワーとそれに対応したエラーレート値との間に近似式を算出し、前記近似式においてエラーレート値が最小となる記録パワーを求める最適値選択に使われる。
【手続補正２８】
【補正対象書類名】明細書
【補正対象項目名】０１２０
【補正方法】変更
【補正の内容】
【０１２０】
本実施の形態は、予めディスクメーカー推奨記録パワー情報が記録され、かつ、ＯＰＣ領域を有する光ディスク１ａに対して、図２９に示すようなＯＰＣなどのテスト記録が可能な既存の光情報記録媒体記録装置を使い、ＯＰＣなどのテスト記録で得られる最適記録パワーの精度を向上させ、これにより、良好に情報の書き込みが行え、再生信号品質を向上させることが可能な記録パワーを得るためのものであり、以下、図３０のフローチャートに沿って第１のステップ（ステップＳ３１ａ）乃至第１５のステップ（ステップＳ４５ａ）について詳細の説明を行う。
【手続補正２９】
【補正対象書類名】明細書
【補正対象項目名】０１３４
【補正方法】変更
【補正の内容】
【０１３４】
続いて、上述の第２のＯＰＣでの記録パワー算出方法で求めた記録パワーを用いて第２のＯＰＣを行い（ステップＳ４１ａ）、前記第２のＯＰＣ記録によって形成された記録信号を再生し、前記第２のＯＰＣ記録での各記録パワーに対応したエラーレート値を取得し（ステップＳ４２ａ）、前記第２のＯＰＣ記録での各記録パワーとそれに対応した上述のエラーレート値との間に近似式を算出する（ステップＳ４３ａ）。ここで近似式についてであるが、図３１乃至図３７の説明で示した記録パワーが３種類での第２のＯＰＣ記録を行う場合は２次の多項式を利用した最小二乗法を用いることとし、記録パワーが４種類での第２のＯＰＣ記録を行う場合は３次の多項式を利用した最小二乗法を用いることとする。記録パワーが５種類以上の場合は３次以上の多項式を利用した最小二乗法を用いると良い。